(57)【特許請求の範囲】
【請求項１】
電子原稿から、該電子原稿を可視化するための画像信号への変換を行う画像処理装置において、前記電子原稿の色温度情報を認識する電子原稿色温度情報認識手段と、前記電子原稿に対応する記録物を観察する光源の色温度情報を認識する記録物観察光源色温度情報認識手段と、前記電子原稿色温度情報認識手段により認識した前記電子原稿の色温度情報及び記録物観察光源色温度情報認識手段により認識した記録物を観察する光源の色温度情報に基づいて該電子原稿の色と略等価な画像を可視化するための画像信号へ色変換を行う色補正変換手段を有し、前記色補正変換手段として、前記電子原稿色温度情報認識手段によって認識された前記電子原稿の色温度情報と前記記録物観察光源色温度情報認識手段によって認識された前記記録物を観察する光源の色温度情報に基づき前記電子原稿から前記電子原稿に対応する前記記録物を観察する光源下の色と略等価な画像信号への色変換を行う第３の色補正変換手段と、前記記録物観察光源色温度情報認識手段によって認識された前記記録物を観察する光源の色温度情報に基づいて前記第３の色補正変換手段で色変換された画像信号の色と略等価に表示されるように前記第３の色補正変換手段で色変換された後の画像信号から前記表示装置に出力可能な画像信号への色変換を行う第２の色補正変換手段を有することを特徴とする画像処理装置。
【請求項２】
電子原稿から、該電子原稿を可視化するための画像信号への変換を行う画像処理装置において、前記電子原稿の色温度情報を認識する電子原稿色温度情報認識手段と、前記電子原稿に対応する第２の記録物を観察する光源の色温度情報を認識する記録物観察光源色温度情報認識手段と、前記電子原稿色温度情報認識手段により認識した前記電子原稿の色温度情報及び記録物観察光源色温度情報認識手段により認識した第２の記録物を観察する光源の色温度情報に基づいて該電子原稿の色と略等価な画像を可視化するための画像信号へ色変換を行う色補正変換手段を有し、前記色補正変換手段として、前記電子原稿色温度情報認識手段によって認識された前記電子原稿の色温度情報と前記記録物観察光源色温度情報認識手段によって認識された前記第２の記録物を観察する光源の色温度情報に基づき前記電子原稿から前記電子原稿に対応する前記第２の記録物を観察する光源下の色と略等価な画像信号への色変換を行う第３の色補正変換手段と、前記記録物観察光源色温度情報認識手段によって認識された前記第２の記録物を観察する光源の色温度情報に基づいて前記電子原稿の色温度情報が示す色温度の照明光源で前記第２の記録物とは色再現特性の異なる第１の記録物を観察した時に前記第３の色補正変換手段で色変換された画像信号の色と略等価になるように前記第３の色補正変換手段で色変換された後の画像信号から前記第１の記録物を生成する出力装置に出力可能な画像信号へ色変換を行う第１の色補正変換手段を有することを特徴とする画像処理装置。
【請求項３】
前記第３の色補正変換手段は、１以上の色変換係数を記憶する記録物シミュレーション用色変換係数記憶手段と、前記電子原稿色温度情報認識手段で得た前記電子原稿の色温度情報と前記記録物観察光源色温度情報認識手段で得た前記電子原稿に対応した記録物を観察する光源の色温度情報に基づいて前記記録物シミュレーション用色変換係数記憶手段から適切な色変換係数を選択するかあるいは前記記録物シミュレーション用色変換係数記憶手段に記憶されている複数の色変換係数から新たな色変換係数を作成する記録物シミュレーション用色変換係数管理手段と、前記記録物シミュレーション用色変換係数管理手段で選択した色変換係数もしくは作成した色変換係数により前記電子原稿から前記電子原稿に対応した記録物を観察する光源下での色と略等価な画像信号に色変換する記録物シミュレーション用色変換手段を有しており、前記第２の色補正変換手段は、１以上の色変換係数を記憶する表示装置色温度対応色変換係数記憶手段と、前記記録物観察光源色温度情報認識手段で得た前記電子原稿に対応した記録物を観察する光源の色温度情報に基づいて前記表示装置色温度対応色変換係数記憶手段から適切な色変換係数を選択するかあるいは前記表示装置色温度対応色変換係数記憶手段に記憶されている複数の色変換係数から新たな色変換係数を作成する表示装置色温度対応色変換係数管理手段と、前記表示装置色温度対応色変換係数管理手段で選択した色変換係数もしくは作成した色変換係数により前記電子原稿に対応した記録物を観察する光源下での色と略等価な画像信号を前記表示装置で出力可能な画像信号に色変換する表示装置色温度対応色変換手段を有することを特徴とする請求項１に記載の画像処理装置。
【請求項４】
前記第３の色補正変換手段は、１以上の色変換係数を記憶する記録物シミュレーション用色変換係数記憶手段と、前記電子原稿色温度情報認識手段で得た前記電子原稿の色温度情報と前記記録物観察光源色温度情報認識手段で得た前記電子原稿に対応した記録物を観察する光源の色温度情報に基づいて前記記録物シミュレーション用色変換係数記憶手段から適切な色変換係数を選択するかあるいは前記記録物シミュレーション用色変換係数記憶手段に記憶されている複数の色変換係数から新たな色変換係数を作成する記録物シミュレーション用色変換係数管理手段と、前記記録物シミュレーション用色変換係数管理手段で選択した色変換係数もしくは作成した色変換係数により前記電子原稿から記録物を観察する光源下での色と略等価な画像信号に色変換する記録物シミュレーション用色変換手段を有し、また前記第２の色補正変換手段は、１以上の色変換係数を記憶する表示装置共通色温度変換係数記憶手段と、前記記録物観察光源色温度情報認識手段で得た前記電子原稿に対応した記録物を観察する光源の色温度情報に基づいて前記表示装置共通色温度変換係数記憶手段から適切な色変換係数を選択するかあるいは前記表示装置共通色温度変換係数記憶手段に記憶されている複数の色変換係数から新たな色変換係数を作成する表示装置共通色温度変換係数管理手段と、前記表示装置共通色温度変換係数管理手段で選択した色変換係数もしくは作成した色変換係数により前記電子原稿に対応した記録物を観察する光源下での色と略等価な画像信号を共通の色温度の画像信号に色変換する表示装置共通色温度変換手段と、前記表示装置共通色温度変換手段で色変換を行う際の目標とした前記共通の色温度に対応した色変換係数により前記表示装置共通色温度変換手段で色変換された後の前記共通の色温度の画像信号を前記表示装置で出力可能な画像信号に色変換する表示装置共通色変換手段を有することを特徴とする請求項１に記載の画像処理装置。
【請求項５】
前記第３の色補正変換手段は、１以上の色変換係数を記憶する記録物シミュレーション用色変換係数記憶手段と、前記電子原稿色温度情報認識手段で得た前記電子原稿の色温度情報と前記記録物観察光源色温度情報認識手段で得た前記電子原稿に対応した前記第２の記録物を観察する光源の色温度情報に基づいて前記記録物シミュレーション用色変換係数記憶手段から適切な色変換係数を選択するかあるいは前記記録物シミュレーション用色変換係数記憶手段に記憶されている複数の色変換係数から新たな色変換係数を作成する記録物シミュレーション用色変換係数管理手段と、前記記録物シミュレーション用色変換係数管理手段で選択した色変換係数もしくは作成した色変換係数により前記電子原稿から前記電子原稿に対応した前記第２の記録物を観察する光源下での色と略等価な画像信号に色変換する記録物シミュレーション用色変換手段を有しており、前記第１の色補正変換手段は、１以上の色変換係数を記憶する記録物色温度対応色変換係数記憶手段と、前記電子原稿色温度情報認識手段で得た記録物観察光源色温度情報に基づいて前記記録物色温度対応色変換係数記憶手段から適切な色変換係数を選択するかあるいは前記記録物色温度対応色変換係数記憶手段に記憶されている複数の色変換係数から新たな色変換係数を作成する記録物色温度対応色変換係数管理手段と、前記記録物色温度対応色変換係数管理手段で選択した色変換係数もしくは作成した色変換係数により前記電子原稿に対応した前記第２の記録物を観察する光源下の色と略等価な画像信号を前記出力装置で出力可能な画像信号に色変換する記録物色温度対応色変換手段を有することを特徴とする請求項２に記載の画像処理装置。
【請求項６】
前記第３の色補正変換手段は、１以上の色変換係数を記憶する記録物シミュレーション用色変換係数記憶手段と、前記電子原稿色温度情報認識手段で得た前記電子原稿の色温度情報と前記記録物観察光源色温度情報認識手段で得た前記電子原稿に対応した前記第２の記録物を観察する光源の色温度情報に基づいて前記記録物シミュレーション用色変換係数記憶手段から適切な色変換係数を選択するかあるいは前記記録物シミュレーション用色変換係数記憶手段に記憶されている複数の色変換係数から新たな色変換係数を作成する記録物シミュレーション用色変換係数管理手段と、前記記録物シミュレーション用色変換係数管理手段で選択した色変換係数もしくは作成した色変換係数により前記電子原稿から前記電子原稿に対応した前記第２の記録物を観察する光源下での色と略等価な画像信号に色変換する記録物シミュレーション用色変換手段を有しており、前記第１の色補正変換手段は、１以上の色変換係数を記憶する記録物共通色温度変換係数記憶手段と、前記電子原稿色温度情報認識手段で得た前記電子原稿の色温度情報に基づいて前記記録物共通色温度変換係数記憶手段から適切な色変換係数を選択するかあるいは前記記録物共通色温度変換係数記憶手段に記憶されている複数の色変換係数から新たな色変換係数を作成する記録物共通色温度変換係数管理手段と、前記記録物共通色温度変換係数管理手段で選択した色変換係数もしくは作成した色変換係数により前記電子原稿に対応した前記第２の記録物を観察する光源下での色と略等価な画像信号を共通の色温度の画像信号に色変換する記録物共通色温度変換手段と、前記記録物共通色温度変換手段で色変換を行う際に目標とした前記共通の色温度に対応する色変換係数により前記記録物共通色温度変換手段で色変換された後の前記共通の色温度の画像信号を前記出力装置で出力可能な画像信号に色変換する記録物共通色変換手段を有することを特徴とする請求項２に記載の画像処理装置。
【請求項７】
前記第２の色補正変換手段は、さらに、前記電子原稿色温度情報認識手段によって認識された前記電子原稿の色温度情報に基づいて前記電子原稿の色温度情報が示す色温度で表示画像が前記電子原稿の色と略等価に表示されるように前記電子原稿から前記表示装置に出力可能な画像信号へ色変換を行う原稿忠実再現機能を有しており、前記電子原稿を前記表示装置に表示させる際に前記第２の色補正変換手段の前記原稿忠実再現機能を用いて前記電子原稿と略等価な画像を前記表示装置で再現するための原稿忠実再現モードと前記第３の色補正変換手段と前記第２の色補正変換手段を用いて前記記録物と略等価な画像を前記表示装置で再現するためのプリントシミュレーションモードを切り替え可能なユーザインタフェースを有することを特徴とする請求項１，請求項３，請求項４のいずれか１項に記載の画像処理装置。
【請求項８】
前記第１の色補正変換手段は、前記電子原稿色温度情報認識手段によって認識された前記電子原稿の色温度情報に基づいて前記電子原稿の色温度情報が示す色温度の照明光源で前記電子原稿に対応した画像を形成した前記第１の記録物を観察した時に前記電子原稿の色と略等価になるように前記電子原稿から前記第１の記録物を生成する前記出力装置に出力可能な画像信号へ色変換を行う原稿忠実再現機能を有しており、前記電子原稿を前記出力装置に出力させる際に前記第１の色補正変換手段の前記原稿忠実再現機能を用いて前記電子原稿に略等価な画像を前記第１の記録物で再現するための原稿忠実再現モードと前記第３の色補正変換手段と前記第１の色補正変換手段を用いて前記第２の記録物と略等価な画像を前記第１の記録物で再現するためのプリントシミュレーションモードを切り替え可能なユーザインタフェースを有することを特徴とする請求項２，請求項５，請求項６のいずれか１項に記載の画像処理装置。
【請求項９】
電子原稿から、該電子原稿を可視化するための画像信号への変換を行う画像処理をコンピュータに実行させるプログラムを格納したコンピュータ読取可能な記憶媒体において、前記電子原稿の色温度情報を認識する電子原稿色温度情報認識処理と、前記電子原稿に対応する記録物を観察する光源の色温度情報を認識する記録物観察光源色温度情報認識処理と、前記電子原稿色温度情報認識処理により認識した前記電子原稿の色温度情報に基づいて該電子原稿の色と略等価な画像を可視化するための画像信号へ色変換を行う色補正変換処理を含み、前記色補正変換処理として、前記電子原稿色温度情報認識処理によって認識された前記電子原稿の色温度情報と前記記録物観察光源色温度情報認識処理によって認識された前記記録物を観察する光源の色温度情報に基づき前記電子原稿から前記電子原稿に対応する前記記録物を観察する光源下の色と略等価な画像信号への色変換を行う第３の色補正変換処理と、前記記録物観察光源色温度情報認識処理によって認識された前記記録物を観察する光源の色温度情報に基づいて前記第３の色補正変換処理で色変換された画像信号の色と略等価に表示されるように前記第３の色補正変換処理で色変換された後の画像信号から前記表示装置に出力可能な画像信号への色変換を行う第２の色補正変換処理をコンピュータに実行させるプログラムを格納したコンピュータ読取可能な記憶媒体。
【請求項１０】
電子原稿から、該電子原稿を可視化するための画像信号への変換を行う画像処理をコンピュータに実行させるプログラムを格納したコンピュータ読取可能な記憶媒体において、前記電子原稿の色温度情報を認識する電子原稿色温度情報認識処理と、前記電子原稿に対応する第２の記録物を観察する光源の色温度情報を認識する記録物観察光源色温度情報認識処理と、前記電子原稿色温度情報認識処理により認識した前記電子原稿の色温度情報に基づいて該電子原稿の色と略等価な画像を可視化するための画像信号へ色変換を行う色補正変換処理を含み、前記色補正変換処理として、前記電子原稿色温度情報認識処理によって認識された前記電子原稿の色温度情報と前記記録物観察光源色温度情報認識処理によって認識された前記第２の記録物を観察する光源の色温度情報に基づき前記電子原稿から前記電子原稿に対応する前記第２の記録物を観察する光源下の色と略等価な画像信号への色変換を行う第３の色補正変換処理と、前記記録物観察光源色温度情報認識処理によって認識された前記第２の記録物を観察する光源の色温度情報に基づいて前記電子原稿の色温度情報が示す色温度の照明光源で前記第２の記録物とは色再現特性の異なる第１の記録物を観察した時に前記第３の色補正変換処理で色変換された画像信号の色と略等価になるように前記第３の色補正変換処理で色変換された後の画像信号から前記第１の記録物を生成する出力装置に出力可能な画像信号へ色変換を行う第１の色補正変換処理をコンピュータに実行させるプログラムを格納したコンピュータ読取可能な記憶媒体。
【請求項１１】
電子原稿から、該電子原稿を可視化するための画像信号への変換を行う画像処理方法において、前記電子原稿の色温度情報を電子原稿色温度情報認識手段が認識し、前記電子原稿に対応する記録物を観察する光源の色温度情報を記録物観察光源色温度情報認識手段が認識し、認識した前記電子原稿の色温度情報及び記録物を観察する光源の色温度情報に基づいて該電子原稿の色と略等価な画像を可視化するための画像信号へ色補正変換手段が色変換を行うものであって、前記色変換として、認識された前記電子原稿の色温度情報と前記記録物を観察する光源の色温度情報に基づいて前記電子原稿から前記電子原稿に対応する前記記録物を観察する光源下の色と略等価な画像信号への第３の色変換を第３の色補正変換手段が行い、認識された前記記録物を観察する光源の色温度情報に基づいて前記第３の色変換で色変換された画像信号の色と略等価に表示されるように前記第３の色変換で色変換された後の画像信号から前記表示装置に出力可能な画像信号への第２の色変換を第２の色補正変換手段が行うことを特徴とする画像処理方法。
【請求項１２】
電子原稿から、該電子原稿を可視化するための画像信号への変換を行う画像処理方法において、前記電子原稿の色温度情報を電子原稿色温度情報認識手段が認識し、前記電子原稿に対応する第２の記録物を観察する光源の色温度情報を記録物観察光源色温度情報認識手段が認識し、認識した前記電子原稿の色温度情報及び記録物を観察する光源の色温度情報に基づいて該電子原稿の色と略等価な画像を可視化するための画像信号へ色変換を色補正変換手段が行うものであって、前記色変換として、認識された前記電子原稿の色温度情報と前記第２の記録物を観察する光源の色温度情報に基づいて前記電子原稿から前記電子原稿に対応する前記第２の記録物を観察する光源下の色と略等価な画像信号への第３の色変換を第３の色補正変換手段が行い、認識された前記第２の記録物を観察する光源の色温度情報に基づいて前記電子原稿の色温度情報が示す色温度の照明光源で前記第２の記録物とは色再現特性の異なる第１の記録物を観察した時に前記第３の色変換で色変換された画像信号の色と略等価になるように前記第３の色変換後の画像信号から前記第１の記録物を生成する出力装置に出力可能な画像信号へ第１の色変換を第１の色補正変換手段が行うことを特徴とする画像処理方法。
【発明の詳細な説明】
【０００１】
【発明の属する技術分野】
本発明は、電子原稿から、該電子原稿に対応した画像を形成した記録物を生成する出力装置や、表示装置への出力が可能な画像信号への変換を行う画像処理装置および画像処理方法、これらの画像処理装置または画像処理方法を搭載した画像処理システムおよび出力装置、さらには、これらの処理をコンピュータに実行させるプログラムを格納したコンピュータ読取可能な記憶媒体に関するものである。
【０００２】
【従来の技術】
ＤＴＰ（Ｄｅｓｋｔｏｐ  Ｐｕｂｌｉｓｈｉｎｇ）システムでは、通常ＣＲＴ（Ｃａｔｈｏｄｅ  Ｒａｙ  Ｔｕｂｅ）などの表示装置上で画像の作成や編集を行ない、最終的なドキュメントをハードコピーの形で出力装置から出力している。用いられる表示装置や出力装置として各種の装置が開発され、また、１台に限らず、複数台の装置が利用されるようになってきている。このような装置環境においては、それぞれの表示装置や出力装置の特性により、同じカラー画像を出力させても色のバラツキが生じるという問題がある。
【０００３】
各装置において出力される色を統一的に管理するために、ＣＭＳ（ＣｏｌｏｒＭａｎａｇｅｍｅｎｔ  Ｓｙｓｔｅｍ）が導入されてきた。とりわけ、ＩＣＣ（Ｉｎｔｅｒｎａｔｉｏｎａｌ  Ｃｏｌｏｒ  Ｃｏｎｓｏｒｔｉｕｍ）で制定されているプロファイル形式による色管理は、事実上の標準になっている。
【０００４】
図２８は、ＩＣＣで提案されている従来の色管理方法の一例の説明図である。図中、１０１は電子原稿、１０２は色の見えモデル変換部、１０３はデバイス補正部、１０４〜１０７は表示装置、１０８は出力用変換部、１０９は出力装置、１１０〜１１２は光源、１１３は記録物である。システム内では、デバイスに依存しない色空間（Ｄｅｖｉｃｅ  Ｉｎｄｅｐｅｎｄｅｎｔ  Ｃｏｌｏｒ）に変換して色管理している。この時の色空間としては、ＣＩＥ１９３１ＸＹＺ色度やＣＩＥ１９７６Ｌ* ａ* ｂ* 均等色空間などが用いられる。
【０００５】
図２８に示すように、電子原稿１０１を表示装置１０４〜１０７に表示させる場合には、まず色の見えモデル変換部１０２において、電子原稿１０１を表示装置１０４〜１０７が設定しているもしくは想定している色温度に変換する。色の見えモデルは、例えばｖｏｎ  Ｋｒｉｅｓ、Ｈｕｎｔ、Ｎａｙａｔａｎｉ、Ｆａｉｒｃｈｉｌｄ、Ｌｕｏらが提案したモデルが有名であるが、近年ではこれらの特徴を生かしたＣＩＥＣＡＭ９７ｓが提案されている。
【０００６】
さらにデバイス補正部１０３において、色の見えモデル変換部１０２でそれぞれの表示装置１０４〜１０７が設定しているもしくは想定している色温度に変換した画像信号を、ＩＣＣで定められたプロファイルに格納された色変換係数を用いて、各表示装置１０４〜１０７に固有の色空間に変換する。
【０００７】
例えば表示装置が、ユーザが色温度の調整を行うことができない普通のタイプであるなら、表示装置１０７のように９３００Ｋ前後の色温度になっていることがほとんどである。また、電子原稿１０１の想定する色温度は、Ｄ５０やＤ６５の常用光源であることが多い。仮に電子原稿がＤ５０の色温度であるなら、色の見えモデル変換部１０２により電子原稿１０１をＤ５０から９３００Ｋの色温度に変換する。このあと、デバイス補正部１０３において、表示装置１０７に固有の色空間に変換して、表示装置１０７に表示することになる。
【０００８】
また、出力装置１０９はＤ５０照明下を想定して、被記録媒体上に画像を形成し、記録物を生成する場合が多い。電子原稿１０１の色温度がＤ５０であるなら、そのまま出力用変換部１０８において出力装置１０９に固有の色空間に変換する。また、電子原稿１０１の色温度がＤ６５なら、表示装置１０４〜１０７の場合と同様に、色の見えモデル変換部を設けて、一度Ｄ５０に変換してから、出力装置１０９に固有の色空間に変換すればよい。このようにして出力装置１０９で画像が形成された記録物１１３は、各種の色温度を有する光源１１０〜１１２のもとでユーザにより参照される。すなわち、同じ記録物１１３が種々の光源１１０〜１１２のもとで参照されることがある。
【０００９】
このような色管理方法には、大きく２つの問題点がある。１つ目は画像の色温度は、表示装置１０４〜１０７や出力装置１０９等のデバイスの設定している色温度に依存しているため、それぞれのデバイスの出力する画像の色は全く違うものになるということである。例えば、９３００Ｋで発光する表示装置１０７上で編集した画像を、Ｄ５０照明下を想定した出力装置１０９で出力して画像を形成し、Ｄ５０の光源１１１の下で表示装置１０７上の画像と同時に比較した場合には、当然ながら色の見えは全く異なる。また、電子原稿１０１を他の表示装置１０４〜１０６上で観察した場合にも、各表示装置の色温度設定に依存するため、電子原稿１０１本来の色を見ることができない場合がある。これらはユーザにとって画像を作成・編集していく上で不合理なことである。しかし、実際に作業する現場では、それは当然のことであるとして放置されているのが現状である。
【００１０】
２つ目の問題点は、環境光の影響に対する考慮が不十分であるということである。例えば、４０００Ｋ程度の色温度を持つ光源のもとで、記録物と表示装置に表示されている画像を同時に比較する場合を考える。ＩＣＣの従来の方法では、表示装置の色温度の設定を４０００Ｋに合わせ、色の見えモデル変換部１０２を用いて色温度の変換を行い、さらにデバイス補正部１０３において、４０００Ｋの色温度に合わせた場合に対応する色変換係数でデバイスに依存しない色空間から表示装置固有の色空間に変換して出力する。
【００１１】
色の見えモデルは、環境光の色温度が変わることに対する人間の視覚特性の変化を捉え、変化した環境での対応色を予測することができる。しかし、記録物を観察する光源の特性の変化による色の変化は予測できない。例えばＤ５０照明下で観察することを想定して出力された記録物を、４０００Ｋぐらいの色温度の光源の下で観察するとき、光源特性の変化により色ずれが生じる。特にゼログラフィーの場合、写真などに比べて、その傾向は顕著である。こうした色ずれは、色の見えモデルでは予測できない。これは、特定された光源のもとで観察するようにすれば問題は発生しない。しかし、現実的に一般的なユーザがＤＴＰシステムを使用する環境では、出力装置がＤ５０の設定で出力しているにもかかわらず、観察光源は一般のオフィスで使われているような蛍光灯（４０００Ｋ前後）であることがほとんどである。以上のように、従来の方法では、光源特性の変化による色ずれの問題は解決できない。
【００１２】
このように、現状の色管理の方法では、表示装置や出力装置で電子原稿本来の見えを容易に出力できないことが多い。また、表示装置上で記録物をシミュレーションする場合には、シミュレーション画像と記録物の画像の色の見えが一致していないため、ユーザが意図した色になるまで色調整を行わなければならず、その調整に多くの時間と労力を要していた。
【００１３】
【発明が解決しようとする課題】
本発明は、上述した事情に鑑みてなされたもので、画像を形成した記録物を生成する出力装置や、画像を表示する表示装置において、電子原稿本来の色を忠実に再現すること、および、表示装置上で記録物の色の見えを精度良くシミュレーションでき、また、第１の記録物によって第２の記録物をシミュレーションできる画像処理装置及び画像処理方法を提供することを目的とするものである。また、これらの画像処理装置または画像処理方法を搭載した画像処理システムおよび出力装置、さらには、これらの処理をコンピュータに実行させるプログラムを格納したコンピュータ読取可能な記憶媒体を提供することを目的とするものである。
【００１４】
【課題を解決するための手段】
本発明は、電子原稿から、該電子原稿を可視化するための画像信号への変換を行うものであって、電子原稿の色温度情報を認識し、認識した前記電子原稿の色温度情報に基づいて該電子原稿の色と略等価な画像を可視化するための画像信号へ色変換を行うことを特徴とするものである。
【００１７】
さらに、電子原稿の色温度情報とともに電子原稿に対応する記録物を観察する光源の色温度情報を認識しておき、色変換として、認識された前記電子原稿の色温度情報と記録物を観察する光源の色温度情報に基づいて、電子原稿から電子原稿に対応する記録物を観察する光源下の色と略等価な画像信号への第３の色変換を行い、認識された記録物を観察する光源の色温度情報に基づいて、第３の色変換で色変換された画像信号の色と略等価に表示されるように、第３の色変換で色変換された後の画像信号から表示装置に出力可能な画像信号への第２の色変換を行うことができる。このようにして、表示装置上で記録物の色の見えを精度よくシミュレーションすることが可能になる。
【００１８】
さらに、電子原稿の色温度情報とともに電子原稿に対応する第２の記録物を観察する光源の色温度情報を認識しておき、色変換として、認識された電子原稿の色温度情報と第２の記録物を観察する光源の色温度情報に基づいて、電子原稿から電子原稿に対応する第２の記録物を観察する光源下の色と略等価な画像信号への第３の色変換を行い、認識された第２の記録物を観察する光源の色温度情報に基づいて、所定の照明光源で第２の記録物とは色再現特性の異なる第１の記録物を観察した時に第３の色変換で色変換された画像信号の色と略等価になるように、第３の色変換後の画像信号から前記第１の記録物を生成する出力装置に出力可能な画像信号へ第１の色変換を行うことができる。このようにして、第２の記録物を第１の記録物によってシミュレーションすることが可能になる。
【００１９】
【発明の実施の形態】
図１は、本発明の第１の実施の形態を示すブロック図である。図中、１は電子原稿色温度情報認識部、２は第１の色補正変換部、３は出力装置、４は電子原稿である。この第１の実施の形態は、電子原稿４の持つ色温度で忠実に再現するためのものである。
【００２０】
電子原稿色温度情報認識部１は、電子原稿４の色温度情報を認識し、認識した電子原稿４の色温度情報を第１の色補正変換部２に渡す。色温度情報は、例えば電子原稿に付与されている場合には、その情報を取得すればよい。また、付与されていない場合には、例えば所定の色温度に設定したり、いくつかの設定値の中から適宜選択すればよい。または、ユーザによる光源の分光分布特性や三刺激値、色温度値、あるいは予め設定されている光源の名称などの指定を受けてもよい。認識する色温度情報は、例えば三刺激値を取得することができる。これに限らず、色温度情報として、色温度名（Ｄ５０、Ｆ８など）でも、ＣＩＥ１９３１ＸＹＺ色度でも、分光特性データでもかまわない。また、印刷など流通しているシアン（Ｃ）、マゼンタ（Ｍ）、イエロー（Ｙ）の３色分解、あるいは、それらにブラック（Ｋ）を加えた４色分解、あるいは、ＣＭＹＫにさらに異なった色材を加えた４以上の多色分解等の減法混色系の色信号であれば、その情報を認識して、自動的にＤ５０光源の設定としても良い。Ｄ５０光源は、印刷を代表とする紙への画像印字を行う業種で標準的に用いられている光源である。
【００２１】
第１の色補正変換部２は、電子原稿色温度情報認識部１によって認識された電子原稿４の色温度情報に基づいて、電子原稿４の色温度情報が示す色温度の照明光源で出力装置３から出力された記録物を観察した時に電子原稿４の色と略等価になるように、電子原稿４から出力装置３に出力可能な画像信号へ色変換を行う。
【００２２】
出力装置３は、与えられた画像信号に従って、被記録媒体上に画像を形成して記録物を生成し、出力する。この実施の形態では、第１の色補正変換部２で変換された電子原稿４に対応する画像を被記録媒体上に形成し、記録物として出力する。
【００２３】
なお、出力装置３は電子原稿色温度情報認識部１及び第１の色補正変換部２と同じ装置内に存在してもよいし、あるいは別体として構成され、ケーブルにより直接あるいはネットワークを介して接続されていてもよい。出力装置３を別体とする場合、電子原稿色温度情報認識部１および第１の色補正変換部２は、例えばデバイスドライバに実装することができる。また電子原稿色温度情報認識部１および第１の色補正変換部２は、ＯＳに入っているＣＭＭ（Ｃｏｌｏｒ  Ｍａｔｃｈｉｎｇ  Ｍｏｄｕｌｅ）を利用して、画像処理する形態であってもかまわないし、出力装置３の画像処理部の中で既存の画像処理モジュールを利用して構成してもよい。さらに、これらの方法を記述したプログラムを記憶媒体に記憶してあってもよい。
【００２４】
図２は、本発明の第１の実施の形態における動作の概要の説明図である。図中、１１は光源、１２は記録物である。ユーザが作成・編集した電子原稿４は、ある色温度を想定して作成・編集されている。その色温度の情報を電子原稿色温度情報認識部１で認識し、第１の色補正変換部２に伝える。第１の色補正変換部２では、電子原稿４の色温度情報に基づいて、電子原稿４の色温度情報が示す色温度の照明光源で出力装置３から出力された記録物を観察した時に電子原稿４の色と略等価になるように色変換を行う。色変換された画像信号をもとに出力装置３で被記録媒体上に画像を形成し、記録物を生成する。
【００２５】
記録物１２は、電子原稿４が作成・編集されたときに想定された色温度において、電子原稿４の色と略等価になるように色変換されている。そのため、例えば電子原稿４の色温度情報と同じ色温度の光源１１の下で記録物１２を観察すれば、画像の見えは電子原稿４と同じになる。
【００２６】
例えば、電子原稿４がＤ５０の色温度を持つなら、出力装置３により電子原稿４に記述されている色を忠実に再現できるように第１の色補正変換部２で色変換を行い、出力装置３から出力する。出力された画像をＤ５０の光源１１の下で観察すれば、電子原稿４の色と略等価になるように画像を観察することができる。同様に、電子原稿４がＤ６５の色温度を持つなら、第１の色補正変換部２でＤ６５用の色変換を行い、Ｄ６５の光源１１の下で出力された画像を観察すれば、電子原稿４の色と略等価になるように画像を観察することができる。
【００２７】
このように、本発明の第１の実施の形態を用いて出力装置３で生成された記録物１２上の画像は、電子原稿４の色温度情報が示す色温度の照明光源１１の下で観察すれば電子原稿４の色と略等価になるように、電子原稿４の持つ色温度で出力装置３により忠実に再現することができる。
【００２８】
図３は、本発明の第１の実施の形態における第１の色補正変換部の一例を示すブロック図である。図中、２１は記録物色温度対応色変換係数記憶部、２２は色再現範囲圧縮用色変換係数記憶部、２３はデバイス補正用色変換係数記憶部、２４は記録物色温度対応色変換係数管理部、２５は記録物色温度対応色変換部、２６は色再現範囲圧縮部、２７はデバイス補正部である。この例では、第１の色補正変換部２において色補正を行う際に用いる色変換係数を、電子原稿４の色温度によって選択する場合の構成を示している。なお、図には示していないが、電子原稿を色の見えモデルを使って色温度を変換し、別の色温度に変えた画像（例えばＤ６５からＤ５０へ変換するなど）を新たに電子原稿４としてもよい。
【００２９】
図３における第１の色補正変換部２は、記録物色温度対応色変換係数記憶部２１と、記録物色温度対応色変換係数管理部２４と、記録物色温度対応色変換部２５で構成されている。
【００３０】
記録物色温度対応色変換係数記憶部２１は、１以上の色変換係数を記憶している。この例では、記録物色温度対応色変換係数記憶部２１は、色再現範囲圧縮用色変換係数記憶部２２、デバイス補正用色変換係数記憶部２３で構成されている。色再現範囲圧縮用色変換係数記憶部２２は、色再現範囲圧縮用色変換係数を記憶している。色再現範囲圧縮用色変換係数は、記録物の色再現範囲（色再現域）では再現できない領域を再現可能な領域にマッピングし直すために用いられる。例えば、特開平１０−２１０３１３号公報に記載されているような、明度を圧縮する方法を用いて作成してもよい。これは、ＣＩＥＬ* ａ* ｂ* 色空間上、白色点（空間上で最もＬ* の高い点）と黒色点（空間上で最もＬ* の低い点）を、処理したい画像データと出力デバイスの色再現範囲で一致させ、それに従ってＬ* のみを圧縮するものである。この他に色再現範囲圧縮方法は、様々な方法が提案されており、それらのどの方法を使ってもかまわない。
【００３１】
また、デバイス補正用色変換係数記憶部２３は、デバイス補正用色変換係数を記憶している。デバイス補正用色変換係数は、電子原稿４の色温度情報から算出したＣＩＥＬ* ａ* ｂ* 色空間上のデータをデバイス（出力装置３）に依存した色空間Ｃ（シアン）Ｍ（マゼンタ）Ｙ（イエロー）Ｋ（ブラック）に変換するためのものである。例えば、プリンタモデルとして、例えば特開平８−１０２８６５号公報に記載されているニューラルネット法や、特開平１０−２６２１５７号公報に記載されている統計的な手法等を用いて、Ｌ* ａ* ｂ* とＣＭＹＫを関係付ける色変換係数をあらかじめ求める。そして求めた色変換係数を、記録物色温度対応色変換係数記憶部２１に３次元ＬＵＴ（ルックアップテーブル）の形で記憶しておくことができる。
【００３２】
図４は、３次元ＬＵＴに記憶する格子点の説明図、図５は、３次元ＬＵＴを用いて実際に色変換を行う際の説明図である。記録物色温度対応色変換係数記憶部２１に記憶する３次元ＬＵＴは、例えば図４に示すように、色空間中の離散的な格子点において、変換後の画像信号の値を格納しておけばよい。３次元ＬＵＴのアドレスをＬ* ａ* ｂ* 空間上の座標（位置）とし、座標（位置）に対応する変換後の画像信号の値をそのアドレスに格納しておく。入力された画像信号が、図５に示すような格子点の間の座標値となる時には、その画像信号は格子点の内分点として捉え、補間法などによって変換後の画像信号の値を決定すればよい。例えば図５に示すように、周囲８点の格子点Ｑ０〜Ｑ７における画像信号の値の荷重和を得ることができる。すなわち、変換後の画像信号の値をＤとして、周囲８点の格子点Ｑ０〜Ｑ７の出力値をＤｉ（ｉ＝０〜７）とすると、
Ｄ＝（１−α）（１−β）（１−γ）Ｄ０＋（１−α）β（１−γ）Ｄ１＋（１−α）βγＤ２＋（１−α）（１−β）γＤ３＋α（１−β）（１−γ）Ｄ４＋αβ（１−γ）Ｄ５＋αβγＤ６＋α（１−β）γＤ７  …（１）
となる。ここで、α、β、γは０以上、１以下の値である。なお、この例は、立方体補間を用いているが、例えば、特公昭５５−１６１８０号公報に開示されている方法の他、四面体補間、プリズム補間など、各種の方法を用いることができる。
【００３３】
図３に戻り、記録物色温度対応色変換係数管理部２４は、電子原稿色温度情報に基づいて、色再現範囲圧縮用色変換係数記憶部２２、デバイス補正用色変換係数記憶部２３で記憶している複数の色変換係数の中から選択し、記録物色温度対応色変換部２５に渡す。あるいは、複数の色変換係数から新たな色変換係数を作成して記録物色温度対応色変換部２５に渡してもよい。
【００３４】
記録物色温度対応色変換部２５は、記録物色温度対応色変換係数管理部２４から渡された色変換係数を用いて、電子原稿４を、出力装置３から出力可能な画像信号に色変換する。この例では、記録物色温度対応色変換部２５は、色再現範囲圧縮部２６、デバイス補正部２７で構成されている。それぞれの色変換係数が渡された色再現範囲圧縮部２６、デバイス補正部２７は、色変換係数に基づいてそれぞれ色変換を行い、最終的に出力可能な画像信号に変換して出力装置３に出力する。
【００３５】
この例では、記録物色温度対応色変換部２５は２つの変換部から構成されているが、記録物色温度対応色変換係数記憶部２１に記憶されている２つの色変換係数が３次元ＬＵＴの場合には、これらを合成して１つの色変換係数（３次元ＬＵＴ）とし、また記録物色温度対応色変換部２５は１つの色変換部だけで構成してもよい。これにより、３次元ＬＵＴを複数回適用することにより発生する色変換時の誤差を減らし、処理速度を向上させることができる。
【００３６】
図６は、本発明の第１の実施の形態における第１の色補正変換部の別の例を示すブロック図である。図中、図３と同様の部分には同じ符号を付して説明を省略する。３１は記録物共通色温度変換係数記憶部、３２は色材依存色温度変換用色変換係数記憶部、３３は記録物共通色温度変換係数管理部、３４は記録物共通色温度変換部、３５は色材依存色温度変換部、３６は記録物共通色変換部である。
【００３７】
上述の図３に示した例では、それぞれの色温度に対応した色変換係数を記憶していたが、この例では、後述する色材依存色温度変換部３５により電子原稿４の色温度の差異を吸収し、それ以降はある決まった色変換係数（例えばＤ５０対応用）のみを使ってその他の色温度の場合にも対応する構成を示している。図７は、本発明の第１の実施の形態における第１の色補正変換部の別の例において行う変換過程の説明図である。図７（Ａ）に示すようにある色温度のＬ* ａ* ｂ* データからＤ５０への色変換をｆ１、図７（Ｂ）に示すようにある色温度のＬ* ａ* ｂ* データからＤ６５への色変換をｆ２とする。共通の色変換がｆ１であるとき、Ｄ６５の画像信号を得るために、図７（Ｃ）に示すように、まず色材依存色温度変換部３５において、Ｄ６５への色変換ｆ２と、Ｄ５０への色変換ｆ１の逆変換を施しておく。その後、デバイス補正部２７において共通の色変換ｆ１を行うことにより、全体として色変換ｆ２が行われたことになり、色温度がＤ６５の画像信号を得ることができる。なお、ここでは色再現範囲圧縮部２６による色再現範囲圧縮処理の色温度による差異は極めて小さく、無視できるものとしている。
【００３８】
図６に示す例において、第１の色補正変換部２は、記録物共通色温度変換係数記憶部３１と、記録物共通色温度変換係数管理部３３と、記録物共通色温度変換部３４と、記録物共通色変換部３６で構成されている。また、図示していないが、電子原稿を色の見えモデルを使って色温度を変換し、別の色温度に変えた画像（例えばＤ６５からＤ５０へ変換するなど）を新たに電子原稿４としてもよい。
【００３９】
記録物共通色温度変換係数記憶部３１は、１以上の色変換係数を記憶するものであり、ここでは色材依存色温度変換用色変換係数記憶部３２で構成されている。色材依存色温度変換用色変換係数記憶部３２は、色材依存色温度変換用色変換係数を記憶する。色材依存色温度変換用色変換係数は、指定された色温度以外の電子原稿４を、この後の処理系を利用できるように色変換を行うための変換に利用するものである。例えば、この後の色変換工程にＤ５０用の色変換係数だけを用意しておき、ここでは、Ｄ６５の色温度の電子原稿が入力された場合に、後段の処理系をそのまま利用して正しい色変換するための前処理を行う際に用いる。図７でも説明したように、共通に行う色変換ｆ１の逆変換と電子原稿４に施す色変換ｆ２の合成関数を実行するための変換係数を記憶しておけばよい。この変換係数は、色材ごとに色温度の変化に対するずれ量が異なるため、色材ごと、および対応する色温度ごとに、それぞれ必要になる。しかし、全工程の色変換係数を用意するよりも、少ない記憶量で済む。ここではこの変換係数を適用した３次元ＬＵＴを記憶しておくことができる。
【００４０】
記録物共通色温度変換係数管理部３３は、電子原稿色温度情報認識部１で認識した電子原稿４の色温度情報に基づいて、色材依存色温度変換用色変換係数記憶部３２に記憶されている複数の色変換係数の中から選択し、あるいは複数の色変換係数から新たな色変換係数を生成し、記録物共通色温度変換部３４に渡す。
【００４１】
記録物共通色温度変換部３４は、記録物共通色温度変換係数管理部３３から渡された色変換係数に従って、電子原稿４を共通の色温度の画像信号に色変換する。この例では、記録物共通色温度変換部３４は、色材依存色温度変換部３５を有している。色材依存色温度変換部３５は、記録物共通色温度変換係数管理部３３から渡された色変換係数に従って電子原稿４を色変換し、その処理結果を記録物共通色変換部３６へ渡す。
【００４２】
記録物共通色変換部３６は、記録物共通色温度変換部３４（色材依存色温度変換部３５）で色変換を行う際に目標とした共通の色温度に対応する色変換係数にを用いて、記録物共通色温度変換部３４で色変換を行った画像信号を、最終的に出力装置３から出力可能な画像信号に色変換して、出力装置３に出力する。この例では、記録物共通色変換部３６は、色再現範囲圧縮部２６と、デバイス補正部２７で構成されている。色再現範囲圧縮部２６では、出力装置３において再現できない画像信号について、再現可能な色の画像信号にマッピングし直す。また、デバイス補正部２７では、電子原稿４の色温度情報から算出したＣＩＥＬ* ａ* ｂ* 色空間上のデータをデバイス（ここでは出力装置３）に依存した色空間Ｒ（赤）Ｇ（緑）Ｂ（青）に変換するためのものである。色再現範囲圧縮部２６及びデバイス補正部２７は、基本的には図３に示した例と同様であり、変換係数が共通化されている点で異なるのみである。
【００４３】
このような構成によって、電子原稿４の色温度情報が示す色温度の照明光源で観察したときに電子原稿４と略等価な色となるように、出力装置３にて被記録媒体上に電子原稿４に対応する画像が記録され、記録物が生成される。また、この例では色再現範囲圧縮部２６と、デバイス補正部２７を共通化しているので、これらの部分で用いる変換係数を用意しておく必要がなくなり、記憶容量を削減することができる。また、共通化した色再現範囲圧縮部２６とデバイス補正部２７は、例えば既存のものを用いることもでき、容易に構成することが可能である。
【００４４】
図８は、本発明の第２の実施の形態を示すブロック図である。図中、図１と同様の部分には同じ符号を付してある。５は第２の色補正変換部、６は表示装置である。この第２の実施の形態は、電子原稿の画像を忠実に表示装置に表示させるものである。
【００４５】
電子原稿色温度情報認識部１は、上述の第１の実施の形態と同様であり、電子原稿４の色温度情報を認識し、認識した電子原稿４の色温度情報を第２の色補正変換部５に渡す。色温度情報は、例えば電子原稿に付与されている場合には、その情報を取得すればよい。また、付与されていない場合には、例えば所定の色温度に設定したり、いくつかの設定値の中から適宜選択すればよい。または、ユーザによる光源の分光分布特性や三刺激値、色温度値、あるいは予め設定されている光源の名称などの指定を受けてもよい。認識する色温度情報は、例えば三刺激値を取得することができる。これに限らず、色温度情報として、色温度名（Ｄ５０、Ｆ８など）でも、ＣＩＥ１９３１ＸＹＺ色度でも、分光特性データでもかまわない。また、デジタルカメラに代表されるレッド（Ｒ）、グリーン（Ｇ）、ブルー（Ｂ）のＲＧＢ加法混色系の信号である場合は、その情報を認識して、自動的にｓＲＧＢで規定されているＤ６５光源の設定としてもよい。
【００４６】
第２の色補正変換部５は、電子原稿色温度情報認識部１によって認識された電子原稿４の色温度情報に基づいて、表示装置６や表示装置６の周辺を照らす光源の色温度の設定にかかわらず、電子原稿４の色温度情報が示す色温度において表示画像が電子原稿の色と略等価に表示されるように、電子原稿４から表示装置６に出力可能な画像信号への色変換を行う。
【００４７】
なお、表示装置６は電子原稿色温度情報認識部１及び第２の色補正変換部５と同じ装置内に存在してもよいし、あるいは別体として構成され、ケーブルにより直接あるいはネットワークを介して接続されていてもよい。表示装置６を別体とする場合、電子原稿色温度情報認識部１および第２の色補正変換部５は、例えばデバイスドライバに実装することができる。また電子原稿色温度情報認識部１および第２の色補正変換部５は、ＯＳに入っているＣＭＭ（Ｃｏｌｏｒ  Ｍａｔｃｈｉｎｇ  Ｍｏｄｕｌｅ）を利用して、画像処理する形態であってもかまわないし、表示装置６の画像処理部の中で既存の画像処理モジュールを利用して構成してもよい。さらに、これらの方法を記述したプログラムを記憶媒体に記憶してあってもよい。
【００４８】
図９は、本発明の第２の実施の形態における動作の概要の説明図である。図中、１３，１４は光源、１５は表示画像である。ユーザが作成・編集した電子原稿４は、ある色温度を想定して作成・編集されている。その色温度の情報を電子原稿色温度情報認識部１で認識し、第２の色補正変換部５に伝える。第２の色補正変換部５では、電子原稿４の色温度情報に基づいて、表示装置６や表示装置６の周辺を照らす光源の色温度の設定にかかわらず、電子原稿４の色温度情報が示す色温度において表示画像が電子原稿の色と略等価に表示されるように、電子原稿４から表示装置６に出力可能な画像信号への色変換を行う。色変換された画像信号は表示装置６に入力され、表示画面上に表示される。
【００４９】
表示装置６及び表示装置６の表示画面を照明する光源の色温度によって、同じ画像信号を表示装置６に与えても表示された画像の色は異なってしまう。しかし本発明では、表示装置６及び表示装置６の表示画面を照明する光源１３，１４の色温度にかかわらず、電子原稿４の色と略等価に表示されるように色変換を行っている。そのため、電子原稿４の色と略等価に見えるように表示装置６に表示させることができる。
【００５０】
例えば電子原稿４がＤ５０の色温度（５０００Ｋ）を持つものであるなら、表示装置６の表示画面上に、電子原稿４の本来の色を忠実に再現できるように色変換を行い、表示装置６の色温度をＤ５０に設定して出力画像を表示・観察する。このとき、図９（Ａ）に示す光源１３の色温度がＤ５０であれば、電子原稿４の色が忠実に表示装置６の表示画面に再現される。
【００５１】
また、図９（Ｂ）に示すように光源１４の色温度がＤ５０ではない場合（例えば色温度４０００Ｋ、６５００Ｋ（Ｄ６５）など）では、図９（Ａ）の場合と同じ表示画像１５でも色の見え方が変化する。そのため、表示装置６の周囲の色温度についても補正することによって、表示画像１５の見えを一致させることができる。
【００５２】
このように、本発明の第２の実施の形態を用いて表示装置６に表示された画像は、表示装置６や表示装置６を照明する光源１３，１４などの色温度にかかわらず、電子原稿４の色温度情報が示す色温度の見えを有する画像を表示させることができる。
【００５３】
図１０は、本発明の第２の実施の形態における第２の色補正変換部の一例を示すブロック図である。図中、４１は表示装置色温度対応色変換係数記憶部、４２は発光体色の見え変換用色変換係数記憶部、４３は色再現範囲圧縮用色変換係数記憶部、４４はデバイス補正用色変換係数記憶部、４５は表示装置色温度対応色変換係数管理部、４６は表示装置色温度対応色変換部、４７は発光体色の見え変換部、４８は色再現範囲圧縮部、４９はデバイス補正部である。なお、図示してはいないが、電子原稿を色の見えモデルを用いて色温度を変換し、別の色温度に変えた画像（例えばＤ６５からＤ５０へ変換するなど）を新たに電子原稿４としてもよい。
【００５４】
第２の色補正変換部５は、表示装置色温度対応色変換係数記憶部４１と、表示装置色温度対応色変換係数管理部４５と、表示装置色温度対応色変換部４６とで構成されている。表示装置色温度対応色変換係数記憶部４１は、１以上の色変換係数を記憶している。この例では、表示装置色温度対応色変換係数記憶部４１は、発光体色の見え変換用色変換係数記憶部４２と、色再現範囲圧縮用色変換係数記憶部４３と、デバイス補正用色変換係数記憶部４４で構成されている。
【００５５】
発光体色の見え変換用色変換係数記憶部４２は、発光体色の見え変換用色変換係数を記憶している。発光体色の見え変換用色変換係数は、発光体などを含んで構成される表示装置と、主に光の反射によって参照される記録物とによる色の見えの違いを補正するためのものである。表示装置と記録物とは、例えばＤ５０光源下やＤ６５光源下では、色度を合わせれば見た目の色もほぼ一致し、あまり違いは目立たないが、一般のオフィスで使われるような４０００Ｋ前後の色温度の光源下では、色度を一致させても、見えの違いが目立ってくる。こうした表示装置と記録物による色の見えの違いを吸収するため、例えば、等色実験を行い、そこで得た複数の色について測色値と等色値を求め、色変換係数を決定するようにしてもよい。色変換係数の形態は、３×３マトリックスや３次元ＬＵＴ等のいずれでもかまわない。また、特開平１０−６５９３０号公報に開示されているように、等色実験を白色のみに限定し、その他の色は色の見えモデル（ｖｏｎＫｒｉｅｓ等）を利用して予測し、色変換係数の決定を行ってもかまわない。
【００５６】
また、色再現範囲圧縮用色変換係数記憶部４３は、上述の第１の実施の形態における色再現範囲圧縮用色変換係数記憶部２２と同様のものであり、色再現範囲圧縮用色変換係数を記憶する。色再現範囲圧縮用色変換係数は、表示装置６周囲の環境光が表示装置６の表示画面上に映り込むことにより、表示装置の実質的な色再現範囲（色再現域）が縮小するため、この色再現範囲に収まらない画像信号の値を再現可能な範囲にマッピングし直すためのものである。圧縮方法そのものは、上述の第１の実施の形態と同様である。この他にも色再現範囲圧縮方法として様々な方法が提案されており、この例においても、それらのどの方法を使ってもかまわない。
【００５７】
デバイス補正用色変換係数記憶部４４は、上述の第１の実施の形態におけるデバイス補正用色変換係数記憶部２３と同様のものであり、デバイス補正用色変換係数を記憶する。デバイス補正用色変換係数は、電子原稿の色温度情報から算出したＣＩＥＬ* ａ* ｂ* 色空間上のデータを、デバイス（ここでは表示装置６）に依存した色空間Ｒ（赤）Ｇ（緑）Ｂ（青）に変換する。色変換係数は、精度的に３×３マトリックスとＴＲＣでもよいし、精度的に不十分な場合には、３次元ＬＵＴ等を用いてもかまわない。
【００５８】
表示装置色温度対応色変換係数管理部４５は、電子原稿色温度情報に基づいて、発光体色の見え変換用色変換係数記憶部４２と、色再現範囲圧縮用色変換係数記憶部４３と、デバイス補正用色変換係数記憶部４４で記憶している複数の色変換係数の中から色変換係数を選択し、表示装置色温度対応色変換部４６に渡す。あるいは、複数の色変換係数から色変換係数を作成し、作成した色変換係数を表示装置色温度対応色変換部４６に渡してもよい。
【００５９】
表示装置色温度対応色変換部４６は、表示装置色温度対応色変換係数管理部４５から渡される色変換係数により、電子原稿４を表示装置６に出力可能な画像信号に色変換する。この例では、表示装置色温度対応色変換部４６は、発光体色の見え変換部４７、色再現範囲圧縮部４８、デバイス補正部４９で構成されている。それぞれの色変換係数を渡された発光体色の見え変換部４７、色再現範囲圧縮部４８、デバイス補正部４９は、色変換係数に基づいてそれぞれ色変換を行い、最終的に出力可能な信号に変換して表示装置６に出力する。
【００６０】
ここでは、表示装置色温度対応色変換部４６は、３つの変換部から構成されているが、表示装置色温度対応色変換係数記憶部４１にある３つの色変換係数が３次元ＬＵＴの場合には、これらを合成して１つあるいは２つの色変換係数とし、表示装置色温度対応色変換部４６は１つあるいは２つの色変換部だけで構成してもよい。これにより、３次元ＬＵＴを複数回適用することにより発生する色変換時の誤差を減らし、処理速度を向上させることができる。
【００６１】
図１１は、本発明の第２の実施の形態における第２の色補正変換部の別の例を示すブロック図である。図中、図１０と同様の部分には同じ符号を付して説明を省略する。５１は表示装置共通色温度変換係数記憶部、５２は色温度情報保持用色変換係数記憶部、５３は表示装置共通色温度変換係数管理部、５４は表示装置共通色温度変換部、５５は色温度情報保持色変換部、５６は表示装置共通色変換部である。この例においても、上述の図１０に示した例と同様に、電子原稿の色温度で表示されるように色変換を行い、忠実に表示するものである。図１０に示した例と異なる点は、後述するように、表示装置共通色温度変換部５４において、電子原稿の色温度の違いを吸収し、デバイス補正部４９では特定の色変換係数のみを用いて色変換できるようにして共通化した点である。なお、この例においても、電子原稿を色の見えモデルを使って色温度を変換し、別の色温度に変えた画像（例えばＤ６５からＤ５０へ変換するなど）を新たに電子原稿４としてもよい。
【００６２】
この例において、第２の色補正変換部５は、表示装置共通色温度変換係数記憶部５１と、表示装置共通色温度変換係数管理部５３と、表示装置共通色温度変換部５４と、表示装置共通色変換部５６で構成されている。表示装置共通色温度変換係数記憶部５１は、発光体色の見え変換用色変換係数記憶部４２と、色再現範囲圧縮用色変換係数記憶部４３と、色温度情報保持用色変換係数記憶部５２で構成している。
【００６３】
発光体色の見え変換用色変換係数記憶部４２は、発光体色の見え変換用色変換係数を記憶している。発光体色の見え変換用色変換係数は、表示装置と記録物による色の見えの違いを補正するためのものである。基本的には、図１０に示した例と同様である。また、色再現範囲圧縮用色変換係数記憶部４３は、色再現範囲圧縮用色変換係数を記憶する。色再現範囲圧縮用色変換係数は、表示装置６周囲の環境光が表示装置６の表示画面上に映り込むことにより、表示装置６の実質的な色再現範囲（色再現域）が縮小するため、この色再現範囲に収まらない画像信号の値を再現可能な範囲にマッピングし直すためのものである。基本的には、図１０に示した例と同様である。
【００６４】
また、色温度情報保持用色変換係数記憶部５２は、色温度情報保持用色変換係数を記憶している。色温度情報保持用色変換係数は、電子原稿４の色温度に対応した色度を、デバイス補正部４９で使っている観察光源下の色度に変換することで、電子原稿４の色温度が異なった場合の色度の差分を吸収するためのものである。図１２は、色温度情報保持用色変換係数の作成方法の一例の説明図である。デバイス補正部４９における色温度が例えばＤ５０であり、電子原稿４の色温度がＤ６５のとき、Ｌ* ａ* ｂ* 均等色空間の画像信号（図中のＬａｂ）を一旦ＸＹＺ色度（図中のＸＹＺ）に変換して色温度をＤ６５からＤ５０に変換し、Ｌ* ａ* ｂ* 均等色空間（図中のＬ’ａ’ｂ’）に変換する。この過程において、入力されるＤ６５のＬ* ａ* ｂ* 均等色空間の画像信号をアドレスとし、そのアドレスに変換後のＤ５０のＬ* ａ* ｂ* 均等色空間の画像信号の値を格納することで、３次元ＬＵＴを作成することができる。
【００６５】
表示装置共通色温度変換係数管理部５３は、電子原稿色温度情報に基づいて、発光体色の見え変換用色変換係数記憶部４２と、色再現範囲圧縮用色変換係数記憶部４３と、色温度情報保持用色変換係数記憶部５２で記憶している複数の色変換係数の中から選択し、表示装置共通色温度変換部５４に渡す。あるいは、複数の色変換係数から新たな色変換係数を作成し、表示装置共通色温度変換部５４に渡してもよい。
【００６６】
表示装置共通色温度変換部５４は、表示装置共通色温度変換係数管理部５３から渡される色変換係数を用いて、電子原稿４の色温度を共通の色温度の画像信号に変換する。この例では、表示装置共通色温度変換部５４は、発光体色の見え変換部４７、色再現範囲圧縮部４８、色温度情報保持色変換部５５で構成されている。それぞれの色変換係数を渡された、発光体色の見え変換部４７、色再現範囲圧縮部４８、色温度情報保持色変換部５５で電子原稿４を色変換し、その処理結果を表示装置共通色変換部５６へ渡す。
【００６７】
色温度情報保持色変換部５５は、色温度情報保持用色変換係数記憶部５２に記憶されている色温度情報補時用色変換係数を用い、図１２を用いて説明したように、電子原稿４の色温度に対応した色度を、デバイス補正部４９で使っている観察光源下の色に略等価に変換する。これにより、電子原稿４の色温度が異なった場合の色度の差分を吸収する。
【００６８】
なお、色再現範囲圧縮部４８は、図６に示した第１の実施の形態における例のように共通化することも考えられるが、出力装置３とは異なり、表示装置６に出力する場合には色温度によって色再現範囲が大きく変化するため、この例では色再現範囲圧縮部４８を共通化していない。しかし、色温度による色再現範囲の変化が無視できる程度であれば、色再現範囲圧縮部４８の処理を共通化することも可能である。
【００６９】
表示装置共通色変換部５６は、表示装置共通色温度変換部５４で変換処理された画像信号を、表示装置６に出力可能な画像信号に色変換する。この例では、表示装置共通色変換部５６は、デバイス補正部４９により構成されている。デバイス補正部４９は、あらかじめ決められている色変換係数を使って各色変換を行い、最終的に出力可能な信号に変換して表示装置６に出力する。このデバイス補正部４９で用いる色変換係数も、表示装置共通色温度変換係数記憶部５１に記憶させておいてもよい。
【００７０】
このような構成によって、表示装置６や表示装置６を照明する光源の色温度によらず、表示装置６の表示画面上に電子原稿４の色を忠実に再現することができる。また、この例ではデバイス補正部４９を共通化しているので、この部分で用いる変換係数を用意しておく必要がなくなり、記憶容量を削減することができる。また、表示装置共通色温度変換部５４や表示装置共通色変換部５６の処理は、例えば変換係数を変更することによって既存の処理部を利用でき、容易に構成することが可能である。
【００７１】
図１３は、本発明の第３の実施の形態を示すブロック図である。図中、図１、図８と同様の部分には同じ符号を付してある。７は記録物観察光源色温度情報認識部、８は第３の色補正変換部である。上述の第２の実施の形態は、電子原稿の色温度で忠実に表示装置に表示するものであったのに対し、この第３の実施の形態では、記録物を観察した時と同じような色の見えを表示画面上にシミュレートする例を示す。
【００７２】
電子原稿色温度情報認識部１は、上述の第１及び第２の実施の形態と同様であり、電子原稿４の色温度情報を認識し、認識した電子原稿４の色温度情報を第３の色補正変換部８に渡す。色温度情報は、例えば電子原稿に付与されている場合には、その情報を取得すればよい。また、付与されていない場合には、例えば所定の色温度に設定したり、いくつかの設定値の中から適宜選択すればよい。または、ユーザによる光源の分光分布特性や三刺激値、色温度値、あるいは予め設定されている光源の名称などの指定を受けてもよい。認識する色温度情報は、例えば三刺激値を取得することができる。これに限らず、色温度情報として、色温度名（Ｄ５０、Ｆ８など）でも、ＣＩＥ１９３１ＸＹＺ色度でも、分光特性データでもかまわない。また、デジタルカメラに代表されるレッド（Ｒ）、グリーン（Ｇ）、ブルー（Ｂ）のＲＧＢ加法混色系の信号である場合は、その情報を認識して、自動的にｓＲＧＢで規定されているＤ６５光源の設定としてもよい。
【００７３】
記録物観察光源色温度情報認識部７は、観察光源の下で記録物のあらかじめ決められた色に関する色温度情報を、測定器で測定したデータあるいはユーザが指定した値などにより認識し、第３の色補正変換部８、及び第２の色補正変換部５に渡す。測定器で測定したデータとしては、例えば光源の分光分布特性もしくは光源で照明した記録物の分光分布特性や、光源の三刺激値もしくは光源で照明した記録物の三刺激値などとすることができる。ユーザによって指定される値としては、光源の分光分布特性、光源の三刺激値、あるいは予め設定されている光源の名称、色温度の値などとすることができる。
【００７４】
第３の色補正変換部８は、電子原稿色温度情報認識部１によって認識された電子原稿の色温度情報と、記録物観察光源色温度情報認識部７によって認識された記録物を観察する光源の色温度情報に基づいて、電子原稿４から、電子原稿４に対応する記録物を観察する光源下の色に略等価な画像信号への色変換を行う。
【００７５】
第２の色補正変換部５は、上述の第２の実施の形態と同様であるが、この第３の実施の形態では記録物観察光源色温度情報認識部７によって認識された記録物を観察する光源の色温度情報を受け取る。そして、この色温度情報に基づいて、表示装置６や表示装置６周辺を照らす光源の色温度設定にかかわらず、第３の色補正変換部８で色変換された画像信号の色と略等価に表示装置６で表示されるように、第３の色補正変換部８で色変換された後の画像信号から表示装置６に出力可能な画像信号への色変換を行う。
【００７６】
なお、表示装置６は電子原稿色温度情報認識部１、記録物観察光源色温度情報認識部７、第３の色補正変換部８、及び第２の色補正変換部５と同じ装置内に存在してもよいし、あるいは別体として構成され、ケーブルにより直接あるいはネットワークを介して接続されていてもよい。表示装置６を別体とする場合、電子原稿色温度情報認識部１、記録物観察光源色温度情報認識部７、第３の色補正変換部８、および第２の色補正変換部５は、例えばデバイスドライバに実装することができる。また電子原稿色温度情報認識部１、記録物観察光源色温度情報認識部７、第３の色補正変換部８、および第２の色補正変換部５は、ＯＳに入っているＣＭＭ（Ｃｏｌｏｒ  Ｍａｔｃｈｉｎｇ  Ｍｏｄｕｌｅ）を利用して、画像処理する形態であってもかまわないし、表示装置６の画像処理部の中で既存の画像処理モジュールを利用して構成してもよい。さらに、これらの方法を記述したプログラムを記憶媒体に記憶してあってもよい。
【００７７】
図１４、図１５は、本発明の第３の実施の形態における動作の概要の説明図である。図中、図２，図９と同様の部分には同じ符号を付してある。ユーザが作成・編集した電子原稿４は、ある色温度を想定して作成・編集される。また電子原稿４は、任意の出力装置において被記録媒体上に画像として形成され、記録物１２となる。この記録物１２は、光源１１の下で観察される。このとき、観察される画像の見えを、表示装置６の表示画面に表示される画像に反映させる。そのために、記録物１２を観察する光源１１の色温度を記録物観察光源色温度情報認識部７で認識し、第３の色補正変換部８及び第２の色補正変換部５に渡す。第３の色補正変換部８では、電子原稿色温度情報認識部１によって認識された電子原稿４の色温度情報と、記録物観察光源色温度情報認識部７によって認識された記録物を観察する光源１１の色温度情報に基づいて、電子原稿４から、電子原稿４に対応する記録物を観察する光源下の色に略等価な画像信号への色変換を行う。さらに第２の色補正変換部５において、記録物観察光源色温度情報認識部７によって認識された記録物を観察する光源１１の色温度情報に基づいて、表示装置６や表示装置６周辺を照らす光源１３の色温度設定にかかわらず、第３の色補正変換部８で色変換された画像信号の色と略等価に表示装置６で表示されるように、第３の色補正変換部８で色変換された後の画像信号から表示装置６に出力可能な画像信号への色変換を行う。色変換された画像信号は表示装置６に入力され、表示画面上に表示される。
【００７８】
通常は出力装置によって例えばＤ５０などの色温度を想定して記録物が作成される。しかし記録物を観察する際の光源としては、例えばオフィスなどの環境では色温度が４０００Ｋ前後の光源（蛍光灯など）の下で観察される場合が多い。上述のような構成によって、Ｄ５０などの色温度を想定して作成された記録物を、例えば４０００Ｋ前後の光源の下で観察した場合の画像をシミュレートし、表示装置６の画面上に表示画像１５として再現させることができる。例えばＤＴＰシステムを使用して文書などを作成したとき、作成した文書を出力させて参照する際の色を、ディスプレイ上でシミュレートしたい場合などに対応することができる。
【００７９】
また、図１５に示すように表示装置６を照明する光源１４の色温度と、記録物１２を観察する際の光源１１の色温度が異なる場合もある。このような場合には、表示画像１５の色の見え方が変化する。そのため、その変化に応じた補正を行うことによって、記録物１２と表示画像１５の見えを一致させることができる。
【００８０】
このように、本発明の第３の実施の形態を用いることによって、電子原稿４を出力装置から出力した記録物を参照したときの見えを、表示装置６上でシミュレートすることができる。
【００８１】
図１６は、本発明の第３の実施の形態における第３の色補正変換部及び第２の色補正変換部の一例を示すブロック図である。図中、図１０，図１３と同様の部分には同じ符号を付してある。６１は記録物シミュレーション用色変換係数記憶部、６２は記録物色再現範囲圧縮用色変換係数記憶部、６３は記録物色温度変換用色変換係数記憶部６３、６４は記録物シミュレーション用色変換係数管理部、６５は記録物シミュレーション用色変換部、６６は記録物色再現範囲圧縮部、６７は記録物色温度変換部である。この例では、色変換係数を電子原稿４の色温度及び観察する記録物の色温度によって選択する例を示す。なお、図示していないが、電子原稿を色の見えモデルを使って色温度を変換し、別の色温度に変えた画像（例えばＤ６５からＤ５０へ変換するなど）を新たに電子原稿４としてもよい。
【００８２】
第３の色補正変換部８は、記録物シミュレーション用色変換係数記憶部６１と、記録物シミュレーション用色変換係数管理部６４と、記録物シミュレーション用色変換部６５から構成されている。
【００８３】
記録物シミュレーション用色変換係数記憶部６１は、１以上の色変換係数を記憶する。この例では、記録物シミュレーション用色変換係数記憶部６１は、記録物色再現範囲圧縮用色変換係数記憶部６２、記録物色温度変換用色変換係数記憶部６３で構成されている。記録物色再現範囲圧縮用色変換係数記憶部６２は、記録物色再現範囲圧縮用色変換係数を記憶している。記録物色再現範囲圧縮用色変換係数は、記録物を出力する出力装置で再現できない色再現領域にある画像データを再現可能な領域にマッピングし直すためのものである。この例では、こうした出力装置における色再現範囲圧縮処理の結果も含めて表示装置６上でシミュレートする。
【００８４】
記録物色温度変換用色変換係数記憶部６３は、記録物色温度変換用色変換係数を記憶している。記録物色温度変換用色変換係数は、標準の観察光源（Ｄ５０かＤ６５であることが多い）下の画像信号のＣＩＥＬ* ａ* ｂ* を観察光源下の記録物のＣＩＥＬ* ａ* ｂ* に変換し、光源の違いによる色ずれを修正するためのものである。記録物色温度変換用色変換係数は、例えば、測定用の色パッチセットを用意し、Ｄ５０照明下での記録物の測色値を入力値、記録物を観察する観察光源下での測色値を出力値として、統計的な手法で色変換係数を作成してもよい。
【００８５】
記録物シミュレーション用色変換係数管理部６４は、電子原稿４の色温度情報及び記録物を観察する光源の色温度情報に基づいて、記録物色再現範囲圧縮用色変換係数記憶部６２、記録物色温度変換用色変換係数記憶部６３で記憶している複数の色変換係数の中から色変換係数を選択し、記録物シミュレーション用色変換部６５に渡す。あるいは、複数の色変換係数から新たな色変換係数を作成して記録物シミュレーション用色変換部６５に渡してもよい。
【００８６】
記録物シミュレーション用色変換部６５は、記録物シミュレーション用色変換係数管理部６４から渡された色変換係数を用いて、記録物を観察する光源下での色に略等価な画像信号に電子原稿４を色変換する。この例では、記録物シミュレーション用色変換部６５は、記録物色再現範囲圧縮部６６と、記録物色温度変換部６７で構成されている。それぞれの色変換係数が渡された記録物色再現範囲圧縮部６６および記録物色温度変換部６７は、色変換係数に基づいてそれぞれ色変換を行い、第２の色補正変換部５に渡す。
【００８７】
ここでは、記録物シミュレーション用色変換部６５は、２つの変換部から構成されているが、記録物シミュレーション用色変換係数記憶部６１にある２つの色変換係数を合成して１つの色変換係数とし、記録物シミュレーション用色変換部６５を１つの色変換部だけで構成してもよい。
【００８８】
第２の色補正変換部５は、基本的には上述の第２の実施の形態における図１０に示した構成と同じである。以下、簡単に説明する。第２の色補正変換部５は、表示装置色温度対応色変換係数記憶部４１と、表示装置色温度対応色変換係数管理部４５と、表示装置色温度対応色変換部４６で構成されている。
【００８９】
表示装置色温度対応色変換係数記憶部４１は、発光体色の見え変換用色変換係数記憶部４２、色再現範囲圧縮用色変換係数記憶部４３、デバイス補正用色変換係数記憶部４４で構成されている。発光体色の見え変換用色変換係数記憶部４２は、発光体色の見え変換用色変換係数を記憶している。発光体色の見え変換用色変換係数は、表示装置６と記録物による色の見えの違いを補正するためのものある。色再現範囲圧縮用色変換係数記憶部４３は、色再現範囲圧縮用色変換係数を記憶している。色再現範囲圧縮用色変換係数は、表示装置周囲の環境光が表示装置の表示画面上に映り込むことにより、表示装置の実質的な色再現範囲（色再現域）が縮小するため、この色再現範囲に収まらない画像データの値を再現可能な範囲にマッピングし直すために用いられる。デバイス補正用色変換係数記憶部４４は、デバイス補正用色変換係数を記憶している。デバイス補正用色変換係数は、電子原稿４の色温度情報から算出したＣＩＥＬ* ａ* ｂ* 色空間上の画像信号をデバイス（表示装置６）に依存した色空間Ｒ（赤）Ｇ（緑）Ｂ（青）に変換するためのものである。
【００９０】
表示装置色温度対応色変換係数管理部４５は、記録物を観察する光源の色温度情報に基づいて、発光体色の見え変換用色変換係数記憶部４２と、色再現範囲圧縮用色変換係数記憶部４３と、デバイス補正用色変換係数記憶部４４で記憶している複数の色変換係数の中から選択し、表示装置色温度対応色変換部４６に渡す。あるいは、複数の色変換係数から新たな色変換係数を作成して、表示装置色温度対応色変換部４６に渡す。
【００９１】
表示装置色温度対応色変換部４６は、発光体色の見え変換部４７と、色再現範囲圧縮部４８と、デバイス補正部４９で構成されている。それぞれの色変換係数が渡された発光体色の見え変換部４７、色再現範囲圧縮部４８、デバイス補正部４９は、色変換係数に基づいてそれぞれ色変換を行い、最終的に表示装置６へ出力可能な画像信号に変換して、表示装置６に出力する。
【００９２】
表示装置色温度対応色変換部４６は、３つの変換部から構成されているが、表示装置色温度対応色変換係数記憶部４１にある３つの色変換係数を合成し１つあるいは２つの色変換係数として、表示装置色温度対応色変換部４６を１つあるいは２つの色変換部だけで構成してもよい。
【００９３】
図１７は、本発明の第３の実施の形態における第３の色補正変換部及び第２の色補正変換部の別の例を示すブロック図である。図中、図１１，図１３，図１６と同様の部分には同じ符号を付してある。図１６に示した例と異なる点は、デバイス補正部４９における処理で共通化した色変換係数を用いるようにした点である。なお、この例は図１６に示す構成において第２の色補正変換部５として、上述の第２の実施の形態における図１１に示した第２の色補正変換部５の構成を用いた例を示している。説明が重複するが、簡単に述べる。
【００９４】
第３の色補正変換部８は、記録物シミュレーション用色変換係数記憶部６１と、記録物シミュレーション用色変換係数管理部６４と、記録物シミュレーション用色変換部６５から構成されている。記録物シミュレーション用色変換係数記憶部６１は、記録物色再現範囲圧縮用色変換係数記憶部６２、記録物色温度変換用色変換係数記憶部６３で構成されている。記録物色再現範囲圧縮用色変換係数記憶部６２は記録物色再現範囲圧縮用色変換係数を記憶している。記録物色再現範囲圧縮用色変換係数は、出力装置で再現できない色再現領域にある画像データを再現可能な領域にマッピングし直すためのものである。こうした出力装置における色再現範囲圧縮処理の結果も含めて表示装置上でシミュレートする。また、記録物色温度変換用色変換係数記憶部６３は記録物色温度変換用色変換係数を記憶している。記録物色温度変換用色変換係数は、標準の観察光源（Ｄ５０かＤ６５であることが多い）下の画像信号のＣＩＥＬ* ａ* ｂ* を観察光源下の記録物のＣＩＥＬ* ａ* ｂ* に変換し、光源の違いによる色ずれを修正するためのものである。
【００９５】
記録物シミュレーション用色変換係数管理部６４は、電子原稿の色温度情報及び記録物を観察する光源の色温度情報に基づいて、記録物色再現範囲圧縮用色変換係数記憶部６２、記録物色温度変換用色変換係数記憶部６３で記憶している複数の色変換係数の中から選択し、あるいは複数の色変換係数から新たな色変換係数を作成し、記録物シミュレーション用色変換部６５に渡す。
【００９６】
記録物シミュレーション用色変換部６５は、記録物色再現範囲圧縮部６６と、記録物色温度変換部６７で構成されている。それぞれの色変換係数が渡された記録物色再現範囲圧縮部６６および記録物色温度変換部６７は、色変換係数に基づいてそれぞれ色変換を行い、第２の色補正変換部５に渡す。
【００９７】
ここでは、記録物シミュレーション用色変換部６５は、２つの変換部から構成されているが、記録物シミュレーション用色変換係数記憶部６１にある２つの色変換係数を合成して１つの色変換係数とし、記録物シミュレーション用色変換部６５を１つの色変換部だけで構成してもよい。
【００９８】
第２の色補正変換部５は、表示装置共通色温度変換係数記憶部５１と、表示装置共通色温度変換係数管理部５３と、表示装置共通色温度変換部５４と、表示装置共通色変換部５６で構成されている。
【００９９】
表示装置共通色温度変換係数記憶部５１は、発光体色の見え変換用色変換係数記憶部４２と、色再現範囲圧縮用色変換係数記憶部４３と、色温度情報保持用色変換係数記憶部５２で構成されている。発光体色の見え変換用色変換係数記憶部４２は、発光体色の見え変換用色変換係数を記憶している。発光体色の見え変換用色変換係数は、表示装置６と記録物による色の見えの違いを補正するものである。また、色再現範囲圧縮用色変換係数記憶部４３は、色再現範囲圧縮用色変換係数を記憶している。色再現範囲圧縮用色変換係数は、表示装置６周囲の環境光が表示装置６の表示画面上に映り込むことにより、表示装置６の実質的な色再現範囲（色再現域）が縮小するため、この色再現範囲に収まらない画像信号の値を再現可能な範囲にマッピングし直すために用いられる。色温度情報保持用色変換係数記憶部５２は、色温度情報保持用色変換係数を記憶している。色温度情報保持用色変換係数は、電子原稿４の色温度に対応した色度をデバイス補正部４９で使っている観察光源下の色に略等価に変換することで、電子原稿の色温度が異なった場合の色度の差分を吸収するためのものである。
【０１００】
表示装置共通色温度変換係数管理部５３は、記録物を観察する光源の色温度情報に基づいて、発光体色の見え変換用色変換係数記憶部４２と、色再現範囲圧縮用色変換係数記憶部４３と、色温度情報保持用色変換係数記憶部５２で記憶している複数の色変換係数の中から選択し、あるいは複数の色変換係数から新たな色変換係数を作成し、表示装置共通色温度変換部５４に渡す。
【０１０１】
表示装置共通色温度変換部５４は、発光体色の見え変換部４７、色再現範囲圧縮部４８、色温度情報保持色変換部５５で構成されている。それぞれの色変換係数を渡された、発光体色の見え変換部４７、色再現範囲圧縮部４８、色温度情報保持色変換部５５で電子原稿４を色変換し、その処理結果を表示装置共通色変換部５６へ渡す。なお、色温度情報保持色変換部５５は上述の第２の実施の形態において図１１で説明したものであり、色温度情報保持用色変換係数記憶部５２に記憶されている色温度情報補時用色変換係数を用い、図１２を用いて説明したように、電子原稿４の色温度に対応した色度を、デバイス補正部４９で使っている観察光源下の色と略等価になるように変換する。これにより、電子原稿４の色温度が異なった場合の色度の差分を吸収する。
【０１０２】
表示装置共通色変換部５６はデバイス補正部４９で構成されている。デバイス補正部４９は、あらかじめ決められている色変換係数を使って各色変換を行い、最終的に表示装置６に出力可能な画像信号に変換して、表示装置６に出力する。なお、このデバイス補正部４９で用いる色変換係数を、表示装置共通色温度変換係数記憶部５１に記憶させてもよい。
【０１０３】
このような構成によって、電子原稿４を出力装置から出力して得られた記録物を、ある光源の下で観察したときの画像をシミュレートし、表示装置６の表示画面に表示することができる。これによって、例えば記録物の状態での画像の見えを参照しながら、例えばＤＴＰなどにより画像を作成・編集することができる。
【０１０４】
なお、上述の説明では、例えば図１４や図１５にも示したように、電子写真方式に代表されるような出力装置から出力した記録物を表示装置上にシミュレートする場合を想定して説明した。しかしこれに限らず、例えば写真のような実際の原稿を表示装置上に表示する場合であっても、同様にしてシミュレートすることができる。この場合、図１６や図１７に示した構成において、記録物色温度変換部６７で使用する色変換係数を変更すればよい。これは、色材を含めた出力装置の色再現特性の違いにより色ずれする方向、ずれ量が異なってくるためである。その他の各部の機能については全く同様である。
【０１０５】
図１８は、本発明の第４の実施の形態を示すブロック図である。図中、図１、図１３と同様の部分には同じ符号を付してある。上述の第１の実施の形態では、電子原稿の色温度で忠実に電子原稿から出力装置に出力するものであった。これに対し、この第４の実施の形態では、所定の（電子原稿と同じ）色温度・強度分布を持つ光源の下で、もしくは、これとは異なる色温度・強度分布を持つ光源の下で、出力装置で扱う第１の記録物とは色再現特性の異なる第２の記録物を観察した時に、観察されている第２の記録物と略等価な画像を第１の記録物で再現する色補正変換を行い、第２の記録物をシミュレートする例を示す。
【０１０６】
電子原稿色温度情報認識部１は、上述の第１ないし第３の実施の形態と同様であり、電子原稿４の色温度情報を認識し、認識した電子原稿４の色温度情報を第３の色補正変換部８に渡す。色温度情報については、上述の第１ないし第３の実施の形態と同様に、三刺激値のほか、色温度名（Ｄ５０、Ｆ８など）でも、ＣＩＥ１９３１ｘｙ色度もしくはＣＩＥ１９３１ＸＹＺ色度でも分光特性データでもかまわない。また、印刷などで流通しているシアン（Ｃ）、マゼンタ（Ｍ）、イエロー（Ｙ）の３色分解、あるいは、それらにブラック（Ｋ）を加えた４色分解、あるいは、ＣＭＹＫにさらに異なった色を加えた５以上の多色分解等の減法混色系の色信号であれば、その情報を認識して、自動的にＤ５０光源の設定としてもよい。
【０１０７】
記録物観察光源色温度情報認識部７は、観察光源の下で第２の記録物のあらかじめ決められた色に関する色情報を測定値かユーザーが指定した値を認識し、第３の色補正変換部８、及び第１の色補正変換部２に渡す。測定器で測定したデータ、ユーザによって指定される値等については、上述の第３の実施の形態と同様である。
【０１０８】
第３の色補正変換部８は、電子原稿色温度情報認識部１によって認識された電子原稿の色温度情報と、記録物観察光源色温度情報認識部７によって認識された第２の記録物を観察する光源の色温度情報に基づいて、電子原稿４から、電子原稿４に対応する第２の記録物を観察する光源下の色と略等価な画像信号への色変換を行う。
【０１０９】
第１の色補正変換部２は、上述の第１の実施の形態と同様であるが、この第４の実施の形態では、記録物観察光源色温度情報認識部７によって認識された第２の記録物を観察する光源の色温度情報を受け取る。そして、この色温度情報に基づいて、所定の照明光源で第１の記録物を観察したときに第３の色補正変換部８で色変換された画像信号の色と略等価になるように、第３の色補正変換部８で色変換された後の画像信号から出力装置３に出力可能な画像信号への色変換を行う。
【０１１０】
なお、出力装置３は電子原稿色温度情報認識部１、記録物観察光源色温度情報認識部７、第３の色補正変換部８、及び第１の色補正変換部２と同じ装置内に存在してもよいし、あるいは別体として構成され、ケーブルにより直接あるいはネットワークを介して接続されていてもよい。出力装置３を別体とする場合、電子原稿色温度情報認識部１、記録物観察光源色温度情報認識部７、第３の色補正変換部８、および第１の色補正変換部２は、例えばデバイスドライバに実装することができる。また電子原稿色温度情報認識部１、記録物観察光源色温度情報認識部７、第３の色補正変換部８、および第１の色補正変換部２は、ＯＳに入っているＣＭＭ（Ｃｏｌｏｒ  Ｍａｔｃｈｉｎｇ  Ｍｏｄｕｌｅ）を利用して、画像処理する形態であってもかまわないし、出力装置３の画像処理部の中で既存の画像処理モジュールを利用して構成してもよい。さらに、これらの方法を記述したプログラムを記憶媒体に記憶してあってもよい。
【０１１１】
図１９は、本発明の第４の実施の形態における動作の概要の説明図である。図中、図２，図１４と同様の部分には同じ符号を付してある。１６は第１の記録物，１７は第２の記録物である。ユーザが作成・編集した電子原稿４は、ある色温度を想定して作成・編集される。また電子原稿４は、任意の出力装置において被記録媒体上に画像として形成され、出力装置３で出力すれば第１の記録物１６となり、別の色再現特性の異なる出力装置で出力すれば第２の記録物１７となる。このとき、第２の記録物１７を光源１１の下で観察したとき、第１の記録物１６の見えが略等価になるように、第１の記録物１６の出力に反映させる。そのために、第２の記録物１７を観察する光源１１の色温度を記録物観察光源色温度情報認識部７で認識し、第３の色補正変換部８及び第２の色補正変換部５に渡す。第３の色補正変換部８では、電子原稿色温度情報認識部１によって認識された電子原稿４の色温度情報と、記録物観察光源色温度情報認識部７によって認識された第２の記録物１７を観察する光源１１の色温度情報に基づいて、電子原稿４から、電子原稿４に対応する第２の記録物を観察する光源下の色と略等価な画像信号への色変換を行う。さらに第１の色補正変換部２において、記録物観察光源色温度情報認識部７によって認識された第２の記録物を観察する光源１１の色温度情報に基づいて、所定の照明光源１４で第１の記録物１６を観察したときに第３の色補正変換部８で色変換された画像信号の色と略等価になるように、第３の色補正変換部８で色変換された後の画像信号から出力装置３に出力可能な画像信号への色変換を行う。出力装置３は、色変換された画像信号をもとに被記録媒体上に画像を形成し、第１の記録物１６を生成する。
【０１１２】
例えば異なる色再現特性を有する出力装置を用いて画像を形成した場合、同じ電子原稿を用いても、生成された記録物の見えは異なってしまう。上述のような構成によって、第２の記録物とは異なる色再現特性により生成された第１の記録物を得ることによって、第２の記録物の色の見えを第１の記録物によって再現することができる。例えば印刷物の見本を、実際の印刷物とは別の出力装置で出力する場合、実際の印刷物における色の見えを見本において再現することが可能になり、例えば色の校正などをスムーズに行うことが可能になる。
【０１１３】
図２０は、本発明の第４の実施の形態における第３の色補正変換部及び第１の色補正変換部の一例を示すブロック図である。図中、図３，図１６，図１８と同様の部分には同じ符号を付してある。この例では、色変換係数を電子原稿４の色温度及び観察する第２の記録物の色温度によって選択する例を示す。なお、図示していないが、電子原稿を色の見えモデルを使って色温度を変換し、別の色温度に変えた画像（例えばＤ６５からＤ５０へ変換するなど）を新たに電子原稿４としてもよい。
【０１１４】
第３の色補正変換部８は、記録物シミュレーション用色変換係数記憶部６１と、記録物シミュレーション用色変換係数管理部６４と、記録物シミュレーション用色変換部６５から構成されている。
【０１１５】
記録物シミュレーション用色変換係数記憶部６１は、１以上の色変換係数を記憶する。この例では、記録物シミュレーション用色変換係数記憶部６１は、記録物色再現範囲圧縮用色変換係数記憶部６２、記録物色温度変換用色変換係数記憶部６３で構成されている。記録物色再現範囲圧縮用色変換係数記憶部６２および記録物色温度変換用色変換係数記憶部６３に記憶される記録物色再現範囲圧縮用色変換係数および記録物色温度変換用色変換係数は、上述の第３の実施の形態と同様であるので説明を省略する。
【０１１６】
記録物シミュレーション用色変換係数管理部６４は、電子原稿４の色温度情報及び第２の記録物を観察する光源の色温度情報に基づいて、記録物色再現範囲圧縮用色変換係数記憶部６２、記録物色温度変換用色変換係数記憶部６３で記憶している複数の色変換係数の中から色変換係数を選択し、記録物シミュレーション用色変換部６５に渡す。あるいは、複数の色変換係数から新たな色変換係数を作成して記録物シミュレーション用色変換部６５に渡してもよい。
【０１１７】
記録物シミュレーション用色変換部６５は、記録物シミュレーション用色変換係数管理部６４から渡された色変換係数を用いて、第２の記録物を観察する光源下での色と略等価な画像信号に電子原稿４を色変換する。この例では、記録物シミュレーション用色変換部６５は、記録物色再現範囲圧縮部６６と、記録物色温度変換部６７で構成されている。それぞれの色変換係数が渡された記録物色再現範囲圧縮部６６および記録物色温度変換部６７は、色変換係数に基づいてそれぞれ色変換を行ない、第１の色補正変換部２に渡す。
【０１１８】
ここでは、記録物シミュレーション用色変換部６５は、２つの変換部から構成されているが、記録物シミュレーション用色変換係数記憶部６１にある２つの色変換係数を合成して１つの色変換係数とし、記録物シミュレーション用色変換部６５を１つの色変換部だけで構成してもよい。
【０１１９】
第１の色補正変換部２は、基本的には上述の第１の実施の形態における図３に示した構成と同じである。以下、簡単に説明する。第１の色補正変換部２は、記録物色温度対応色変換係数記憶部２１と、記録物色温度対応色変換係数管理部２４と、記録物色温度対応色変換部２５で構成される。
【０１２０】
記録物色温度対応色変換係数記憶部２１は、１以上の色変換係数を記憶している。この例では、記録物色温度対応色変換係数記憶部２１は、色再現範囲圧縮用色変換係数記憶部２２、デバイス補正用色変換係数記憶部２３で構成されている。色再現範囲圧縮用色変換係数記憶部２２およびデバイス補正用色変換係数記憶部２３に記憶されている色再現範囲圧縮用色変換係数およびデバイス補正用色変換係数は、上述の第１の実施の形態と同様であるので説明を省略する。
【０１２１】
記録物色温度対応色変換係数管理部２４は、記録物観察光源色温度情報認識部７で認識した記録物観察光源色温度情報に基づいて、色再現範囲圧縮用色変換係数記憶部２２、デバイス補正用色変換係数記憶部２３で記憶している複数の色変換係数の中から色変換係数を選択し、記録物色温度対応色変換部２５に渡す。あるいは、複数の色変換係数から新たな色変換係数を作成して記録物色温度対応色変換部２５に渡してもよい。
【０１２２】
記録物色温度対応色変換部２５は、記録物色温度対応色変換係数管理部２４から渡された色変換係数に基づいて、第３の色補正変換部８から渡される画像信号を、出力装置３から出力可能な画像信号に色変換する。この例では、記録物色温度対応色変換部２５は、色再現範囲圧縮部２６、デバイス補正部２７で構成されている。それぞれの色変換係数が渡された色再現範囲圧縮部２６、デバイス補正部２７は、色変換係数に基づいてそれぞれ色変換を行い、最終的に出力可能な画像信号に変換して出力装置３に出力する。
【０１２３】
この例では、記録物色温度対応色変換部２５は２つの変換部から構成されているが、記録物色温度対応色変換係数記憶部２１に記憶されている２つの色変換係数が３次元ＬＵＴの場合には、これらを合成して１つの色変換係数（３次元ＬＵＴ）とし、また記録物色温度対応色変換部２５は１つの色変換部だけで構成してもよい。これにより、３次元ＬＵＴを複数回適用することにより発生する色変換時の誤差を減らし、処理速度を向上させることができる。
【０１２４】
図２１は、本発明の第４の実施の形態における第３の色補正変換部及び第１の色補正変換部の別の例を示すブロック図である。図中、図６，図１７，図１８と同様の部分には同じ符号を付してある。図２０に示した例と異なる点は、デバイス補正部２７における処理で共通化した色変換係数を用いるようにした点である。この例では、図２０に示す構成において第１の色補正変換部２として、上述の第１の実施の形態における図６に示した第１の色補正変換部２の構成を用いた例を示している。この例においては、後述する色材依存色温度変換部３５により電子原稿４の色温度の差異を吸収し、それ以降はある決まった色変換係数（例えばＤ５０対応用）のみを使ってその他の色温度の場合にも対応する構成を示している。なお、第１の色補正変換部２の構成以外は図２０と同様であるので説明を省略する。また、第１の色補正変換部２の構成も上述の第１の実施の形態における図６に示した第１の色補正変換部２の構成とほぼ同様であるので、簡単に説明するにとどめる。
【０１２５】
第１の色補正変換部２は、記録物共通色温度変換係数記憶部３１と、記録物共通色温度変換係数管理部３３と、記録物共通色温度変換部３４と、記録物共通色変換部３６で構成されている。また、図示していないが、電子原稿を色の見えモデルを使って色温度を変換し、別の色温度に変えた画像（例えばＤ６５からＤ５０へ変換するなど）を新たに電子原稿４としてもよい。
【０１２６】
記録物共通色温度変換係数記憶部３１は、１以上の色変換係数を記憶するものであり、ここでは色材依存色温度変換用色変換係数記憶部３２で構成されている。色材依存色温度変換用色変換係数記憶部３２が記憶する色材依存色温度変換用色変換係数は、上述の図６に示した第１の実施の形態と同様である。
【０１２７】
記録物共通色温度変換係数管理部３３は、記録物観察光源色温度情報認識部７で認識した記録物観察光源色温度情報に基づいて、色材依存色温度変換用色変換係数記憶部３２に記憶されている複数の色変換係数の中から選択し、あるいは複数の色変換係数から新たな色変換係数を生成し、記録物共通色温度変換部３４に渡す。
【０１２８】
記録物共通色温度変換部３４は、記録物共通色温度変換係数管理部３３から渡された色変換係数に従って、第３の色補正変換部８から渡された画像信号を共通の色温度の画像信号に色変換する。この例では、記録物共通色温度変換部３４は、色材依存色温度変換部３５を有している。色材依存色温度変換部３５は、記録物共通色温度変換係数管理部３３から渡された色変換係数に従って第３の色補正変換部８から渡された画像信号を色変換し、その処理結果を記録物共通色変換部３６へ渡す。
【０１２９】
記録物共通色変換部３６は、記録物共通色温度変換部３４（色材依存色温度変換部３５）で色変換を行う際に目標とした共通の色温度に対応する色変換係数を用いて、記録物共通色温度変換部３４で色変換を行った画像信号を、最終的に出力装置３から出力可能な画像信号に色変換して、出力装置３に出力する。この例では、記録物共通色変換部３６は、色再現範囲圧縮部２６と、デバイス補正部２７で構成されている。それぞれの色変換係数を渡された色再現範囲圧縮部２６、デバイス補正部２７は、色変換係数に基づいて各色変換を行い、最終的に出力可能な信号に変換して出力装置３に出力する。色再現範囲圧縮部２６及びデバイス補正部２７は、基本的には図２０に示した例と同様であり、変換係数が共通化されている点で異なるのみである。
【０１３０】
このような第４の実施の形態における構成によって、第２の記録物と略等価な画像を色再現特性の異なる第１の記録物で再現し、第２の記録物をシミュレートすることが可能になる。この場合、第２の記録物に画像を形成する出力装置と、第１の記録物に画像を形成する出力装置３とは異なっていてよい。これによって、例えば最終的な第２の記録物について、第１の記録物を参照しながら画像の作成および編集、校正を行ってゆくことが可能になる。
【０１３１】
以上、第１乃至第４の実施の形態について説明した。このうち、第２および第３の実施の形態においては、同じ表示装置６を用い、第２の実施の形態で説明したように原稿に忠実に再現するモードと、第３の実施の形態で説明したように原稿を表示画面でシミュレートするモードとを切り換えて行わせることができる。また、第１および第４の実施の形態においても、同じ出力装置３を用い、第１の実施の形態で説明したように原稿に忠実に再現するモードと、第４の実施の形態で説明したように第２の記録物を第１の記録物でシミュレートするモードとを切り換えて行わせることができる。
【０１３２】
図２２〜図２４は、表示装置用の機能切換のためのユーザインタフェースの一例の説明図である。第２および第３の実施の形態で説明した原稿忠実再現モードとプリントシミュレーションモードとをユーザが切り換えるためのユーザインタフェースとしては、例えば図２２に示すような表示画面中のプルダウンメニューから行うことができる。プルダウンメニューにより選択可能な項目の内容を図２３、図２４に示している。このうち、図２３（Ａ）に示す表示モードにおいて、上述の原稿忠実再現モードか、プリントシミュレーションモードか、あるいはこのような色補正処理を行わないかを選択することができる。色補正処理を行う場合の共通機能として、図２３（Ｂ）に示すような原稿色温度、設置環境光色温度、見えの補正の有無、ガミュート（色再現範囲）アラームの有無等を設定することができる。原稿色温度において自動を設定することによって、電子原稿色温度情報認識部１による電子原稿色温度情報の認識が行われる。また、見えの補正を行う場合、表示画面の周囲の色を設定することができる。表示画面の周囲の色によって、表示されている色から人間が実際に感じる色が変化してしまう。この見えの補正を行うために、表示画面の周囲の色を設定することができる。
【０１３３】
原稿忠実再現モードにおいては、このような共通設定のみによって、表示画面上に原稿の画像を忠実に再現することができる。プリントシミュレーションモードの場合には、さらに、記録物が参照される条件を設定するため、図２４（Ａ）に示すようなプリントシミュレーションモード専用機能の設定を行うことができる。ここでは、観察環境光色温度、色材、ガミュートアラームの有無等を設定することができる。このうち、記録物の形成に用いる色材についても設定可能とし、各色材に応じた見えの補正を行うことができるようにしている。
【０１３４】
さらにこの例では、表示装置６が設けられている環境情報を自動的に取り込むための機能設定が可能なように、図２４（Ｂ）に示すようなメニューが用意されている。ここでは、モニタ設置環境光に対応するか否か、および環境光対応センサ駆動設定（自動あるいは手動）などを行うことができる。
【０１３５】
もちろん、これらは一例であって、このうちの一部の機能しか実装されていなくてもよいし、他の種々の機能が付加されていてもよい。また、ここではプルダウンメニューを例として挙げたが、上述のような設定を行うことができれば、例えばポップアップ形式やダイアログ形式など、どのような形式であってもよい。さらに、色温度情報を選択する項目は、便宜的に他の名称を用いたり、他の物理量などを指定することによって実現してもよい。
【０１３６】
図２５，図２６は、出力装置用の機能切換のためのユーザインタフェースの一例の説明図である。第１および第４の実施の形態で説明した原稿忠実再現モードとプリントシミュレーションモードとをユーザが切り換えるためのユーザインタフェースとしては、例えば記録出力を指示する際に、図２５に示すようなダイアログを端末などに表示させ、このダイアログから切り替え指示などを行うことができる。このダイアログにより選択可能な項目の内容を図２６に示している。このうち、図２６（Ａ）に示す出力モードにおいて、上述の原稿忠実再現モードか、プリントシミュレーションモードか、あるいはこのような色補正処理を行わないかを選択することができる。また、図２６（Ｂ）に示す原稿色温度の設定において自動を設定することによって、電子原稿色温度情報認識部１による電子原稿色温度情報の認識が行われる。原稿忠実再現モードにおいては、このような設定によって、原稿の画像を忠実に再現した記録物を得ることができる。
【０１３７】
プリントシミュレーションモードの場合には、さらに、記録物が参照される条件を設定するため、図２６（Ｃ）に示すようなプリントシミュレーションモード専用機能の設定を行うことができる。ここでは、観察環境光色温度、色材、ガミュートアラームの有無等を設定することができる。このうち、記録物（第２の記録物）の形成に用いる色材についても設定可能とし、各色材に応じた見えの補正を行うことができるようにしている。
【０１３８】
もちろん、これらは一例であって、このうちの一部の機能しか実装されていなくてもよいし、他の種々の機能が付加されていてもよい。また、ここではダイアログ形式を例として挙げたが、上述のような設定を行うことができれば、例えばポップアップ形式やプルダウン形式など、どのような形式であってもよい。さらに、色温度情報を選択する項目は、便宜的に他の名称を用いたり、他の物理量などを指定することによって実現してもよい。
【０１３９】
図２７は、本発明の各実施の形態の機能、さらにはユーザインタフェースの機能をコンピュータプログラムで実現した場合におけるコンピュータプログラムを格納した記憶媒体の一例の説明図である。図中、７１はプログラム、７２はコンピュータ、８１は光磁気ディスク、８２は光ディスク、８３は磁気ディスク、８４はメモリ、９１は光磁気ディスク装置、９２は光ディスク装置、９３は磁気ディスク装置である。
【０１４０】
上述の本発明の各実施の形態に示した機能、さらには上述のユーザインタフェースの機能は、コンピュータにより実行可能なプログラム７１によっても実現することが可能である。その場合、そのプログラム７１およびそのプログラムが用いるデータなどは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク８１，光ディスク８２、磁気ディスク８３，メモリ８４等である。もちろんこれらの記憶媒体は、可搬型に限られるものではない。
【０１４１】
これらの記憶媒体にプログラム７１を格納しておき、例えばコンピュータ７２の光磁気ディスク装置９１，光ディスク装置９２，磁気ディスク装置９３，あるいは図示しないメモリスロットにこれらの記憶媒体を装着することによって、コンピュータからプログラム７１を読み出し、本発明の各実施の形態における機能やユーザインタフェースの機能などを実行することができる。あるいは、予め記憶媒体をコンピュータ７２に装着しておき、例えばネットワークなどを介してプログラム７１をコンピュータ７２に転送し、記憶媒体にプログラム７１を格納して実行させてもよい。なお、コンピュータ７２は、出力装置３や表示装置６と一体となっていてもよいし、他のコンピュータにおいて記憶媒体に格納されたプログラムが読み出され、コンピュータ７２（出力装置３や表示装置６等と一体となっている場合を含む）に転送して実行してもよい。
【０１４２】
【発明の効果】
以上の説明から明らかなように、本発明によれば、電子原稿の色温度を認識して、出力デバイスにより電子原稿の色温度での見えを保証するように色変換を行って画像を可視化するので、出力デバイスにおいて、電子原稿に記述されている色の見えを忠実に再現することができる。
【０１４３】
また、電子原稿の色温度を認識するとともに、その電子原稿に対応する記録物を観察する光源下での色温度を認識し、両者の色温度に応じて色変換することにより、記録物を観察する光源の下での見えを表示装置上でシミュレートし、記録物の色を表示装置で正確に再現することができる。同様にして、電子原稿の色温度を認識するとともに、第１の記録物とは色再現特性が異なる第２の記録物を観察する光源下での色温度を認識し、両者の色温度に応じて色変換することにより、第２の記録物の見えを第１の記録物でシミュレートし、正確に再現することができるという効果がある。
【図面の簡単な説明】
【図１】  本発明の第１の実施の形態を示すブロック図である。
【図２】  本発明の第１の実施の形態における動作の概要の説明図である。
【図３】  本発明の第１の実施の形態における第１の色補正変換部の一例を示すブロック図である。
【図４】  ３次元ＬＵＴに記憶する格子点の説明図である。
【図５】  ３次元ＬＵＴを用いて実際に色変換を行う際の説明図である。
【図６】  本発明の第１の実施の形態における第１の色補正変換部の別の例を示すブロック図である。
【図７】  本発明の第１の実施の形態における第１の色補正変換部の別の例において行う変換過程の説明図である。
【図８】  本発明の第２の実施の形態を示すブロック図である。
【図９】  本発明の第２の実施の形態における動作の概要の説明図である。
【図１０】  本発明の第２の実施の形態における第２の色補正変換部の一例を示すブロック図である。
【図１１】  本発明の第２の実施の形態における第２の色補正変換部の別の例を示すブロック図である。
【図１２】  色温度情報保持用色変換係数の作成方法の一例の説明図である。
【図１３】  本発明の第３の実施の形態を示すブロック図である。
【図１４】  本発明の第３の実施の形態における動作の概要の説明図である。
【図１５】  本発明の第３の実施の形態における動作の概要の別の例の説明図である。
【図１６】  本発明の第３の実施の形態における第３の色補正変換部及び第２の色補正変換部の一例を示すブロック図である。
【図１７】  本発明の第３の実施の形態における第３の色補正変換部及び第２の色補正変換部の別の例を示すブロック図である。
【図１８】  本発明の第４の実施の形態を示すブロック図である。
【図１９】  本発明の第４の実施の形態における動作の概要の説明図である。
【図２０】  本発明の第４の実施の形態における第３の色補正変換部及び第１の色補正変換部の一例を示すブロック図である。
【図２１】  本発明の第４の実施の形態における第３の色補正変換部及び第１の色補正変換部の別の例を示すブロック図である。
【図２２】  表示装置用の機能切換のためのユーザインタフェースの一例の説明図である。
【図２３】  表示装置用の機能切換のためのユーザインタフェースの一例における表示モードおよび共通機能の設定項目の一例の説明図である。
【図２４】  表示装置用の機能切換のためのユーザインタフェースの一例におけるプリントシミュレーションモード専用機能および外部情報取り込み機能の設定項目の一例の説明図である。
【図２５】  出力装置用の機能切換のためのユーザインタフェースの一例の説明図である。
【図２６】  出力装置用の機能切換のためのユーザインタフェースの一例における設定項目の一例の説明図である。
【図２７】  本発明の各実施の形態の機能、さらにはユーザインタフェースの機能をコンピュータプログラムで実現した場合におけるコンピュータプログラムを格納した記憶媒体の一例の説明図である。
【図２８】  ＩＣＣで提案されている従来の色管理方法の一例の説明図である。
【符号の説明】
１…電子原稿色温度情報認識部、２…第１の色補正変換部、３…出力装置、４…電子原稿、５…第２の色補正変換部、６…表示装置、７…記録物観察光源色温度情報認識部、８…第３の色補正変換部、１１…光源、１２…記録物、１３，１４…光源、１５…表示画像、１６…第１の記録物，１７…第２の記録物、２１…記録物色温度対応色変換係数記憶部、２２…色再現範囲圧縮用色変換係数記憶部、２３…デバイス補正用色変換係数記憶部、２４…記録物色温度対応色変換係数管理部、２５…記録物色温度対応色変換部、２６…色再現範囲圧縮部、２７…デバイス補正部、３１…記録物共通色温度変換係数記憶部、３２…色材依存色温度変換用色変換係数記憶部、３３…記録物共通色温度変換係数管理部、３４…記録物共通色温度変換部、３５…色材依存色温度変換部、３６…記録物共通色変換部、４１…表示装置色温度対応色変換係数記憶部、４２…発光体色の見え変換用色変換係数記憶部、４３…色再現範囲圧縮用色変換係数記憶部、４４…デバイス補正用色変換係数記憶部、４５…表示装置色温度対応色変換係数管理部、４６…表示装置色温度対応色変換部、４７…発光体色の見え変換部、４８…色再現範囲圧縮部、４９…デバイス補正部、５１…表示装置共通色温度変換係数記憶部、５２…色温度情報保持用色変換係数記憶部、５３…表示装置共通色温度変換係数管理部、５４…表示装置共通色温度変換部、５５…色温度情報保持色変換部、５６…表示装置共通色変換部、６１…記録物シミュレーション用色変換係数記憶部、６２…記録物色再現範囲圧縮用色変換係数記憶部、６３…記録物色温度変換用色変換係数記憶部６３、６４…記録物シミュレーション用色変換係数管理部、６５…記録物シミュレーション用色変換部、６６…記録物色再現範囲圧縮部、６７…記録物色温度変換部、７１…プログラム、７２…コンピュータ、８１…光磁気ディスク、８２…光ディスク、８３…磁気ディスク、８４…メモリ、９１…光磁気ディスク装置、９２…光ディスク装置、９３…磁気ディスク装置、１０１…電子原稿、１０２…色の見えモデル変換部、１０３…デバイス補正部、１０４〜１０７…表示装置、１０８…出力用変換部、１０９…出力装置、１１０〜１１２…光源、１１３…記録物。
【図１】
0004009812.tif 000002
【図２】
0004009812.tif 000003
【図３】
0004009812.tif 000004
【図４】
0004009812.tif 000005
【図５】
0004009812.tif 000006
【図６】
0004009812.tif 000007
【図７】
0004009812.tif 000008
【図８】
0004009812.tif 000009
【図９】
0004009812.tif 000010
【図１０】
0004009812.tif 000011
【図１１】
0004009812.tif 000012
【図１２】
0004009812.tif 000013
【図１３】
0004009812.tif 000014
【図１４】
0004009812.tif 000015
【図１５】
0004009812.tif 000016
【図１６】
0004009812.tif 000017
【図１７】
0004009812.tif 000018
【図１８】
0004009812.tif 000019
【図１９】
0004009812.tif 000020
【図２０】
0004009812.tif 000021
【図２１】
0004009812.tif 000022
【図２２】
0004009812.tif 000023
【図２３】
0004009812.tif 000024
【図２４】
0004009812.tif 000025
【図２５】
0004009812.tif 000026
【図２６】
0004009812.tif 000027
【図２７】
0004009812.tif 000028
【図２８】
0004009812.tif 000029